(57)【要約】【課題】特殊トナー及びカラートナーを用いて画像形成する場合に要する時間を短くすることができる画像形成装置を提供する。【解決手段】イエロー、マゼンタ、シアンのうち少なくとも１つのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成装置において、前記カラートナー像及び前記特殊トナー像を作像する特殊画像形成動作の場合、前記特殊トナー像を作像せずに同じカラートナー像を作像する通常画像形成動作時よりも、前記記録媒体上の単位面積当たりのカラートナー量を少なくするトナー量抑制制御を行う制御手段３０を有する。【選択図】図２
2019117371.tif 000002
【特許請求の範囲】
【請求項１】
イエロー、マゼンタ、シアンのうち少なくとも１つのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成装置において、
前記カラートナー像及び前記特殊トナー像を作像する特殊画像形成動作の場合、前記特殊トナー像を作像せずに同じカラートナー像を作像する通常画像形成動作時よりも、前記記録媒体上の単位面積当たりのカラートナー量を少なくするトナー量抑制制御を行う制御手段を有することを特徴とする画像形成装置。
【請求項２】
請求項１に記載の画像形成装置において、
前記制御手段は、前記特殊画像形成動作の場合、前記カラートナー像及び前記特殊トナー像からなるトナー像に、単位面積当たりのトナー総量が１回の定着処理で定着可能な定着上限値を超える定着不能部分が含まれると判断した場合には、該定着不能部分の前記トナー総量が前記定着上限値以下となるように入力画像情報に対して画像処理を行うことにより、前記トナー量抑制制御を行うことを特徴とする画像形成装置。
【請求項３】
請求項２に記載の画像形成装置において、
前記画像処理では、前記定着不能部分については、前記トナー総量が前記定着上限値以下となるように前記通常画像形成動作時よりも前記カラートナー量を少なくし、前記定着不能部分以外の部分については前記カラートナー量を前記通常画像形成動作時と同じままにすることを特徴とする画像形成装置。
【請求項４】
請求項１乃至３のいずれか１項に記載の画像形成装置において、
入力画像情報の色情報を当該画像形成装置用の色情報へ変換するための色変換データとして、前記通常画像形成動作時に使用する通常色変換データと前記トナー量抑制制御を行うときに使用する特別色変換データとを記憶する記憶手段を有し、
前記制御手段は、前記通常画像形成動作時には、前記通常色変換データを用いて色変換した入力画像情報から画像を形成し、前記トナー量抑制制御を行うときには、前記特別色変換データを用いて色変換した入力画像情報から画像を形成することを特徴とする画像形成装置。
【請求項５】
請求項１乃至４のいずれか１項に記載の画像形成装置において、
前記制御手段は、前記特殊画像形成動作の場合、前記通常画像形成動作時よりも、前記定着手段の定着能力が高まるように、若しくは、前記定着手段による定着処理時間が長くなるように、又は、その両方となるようにする定着条件変更制御を行うことを特徴とする画像形成装置。
【請求項６】
請求項５に記載の画像形成装置において、
前記制御手段は、前記特殊画像形成動作の場合、前記カラートナー像及び前記特殊トナー像からなるトナー像に、単位面積当たりのトナー総量が前記通常画像形成動作時におけるカラートナー量の上限値を超えるトナー過剰部分が含まれると判断した場合には、前記定着条件変更制御を行い、前記トナー過剰部分が含まれないと判断した場合には、前記定着条件変更制御を行わないことを特徴とする画像形成装置。
【請求項７】
イエロー、マゼンタ、シアンのうち少なくとも１つのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成装置において、
前記カラートナー像及び前記特殊トナー像を作像する特殊画像形成動作の場合、前記特殊トナー像を作像せずに同じカラートナー像を作像する通常画像形成動作時よりも、前記定着手段の定着能力が高まるように、若しくは、前記定着手段による定着処理時間が長くなるように、又は、その両方となるようにする定着条件変更制御を行う制御手段を有することを特徴とする画像形成装置。
【請求項８】
請求項７に記載の画像形成装置において、
前記制御手段は、前記特殊画像形成動作の場合、前記カラートナー像及び前記特殊トナー像からなるトナー像に、単位面積当たりのトナー総量が前記通常画像形成動作時におけるカラートナー量の上限値を超えるトナー過剰部分が含まれると判断した場合には、前記定着条件変更制御を行い、前記トナー過剰部分が含まれないと判断した場合には、前記定着条件変更制御を行わないことを特徴とする画像形成装置。
【請求項９】
請求項１乃至８のいずれか１項に記載の画像形成装置において、
前記特殊トナーは、記録媒体上で視認困難な視認困難画像を形成する特色トナーであることを特徴とする画像形成装置。
【請求項１０】
請求項１乃至９のいずれか１項に記載の画像形成装置において、
前記特殊トナーは、透明性を有する赤外光吸収トナーであることを特徴とする画像形成装置。
【請求項１１】
請求項１０に記載の画像形成装置において、
前記カラートナーは、結着樹脂及び着色剤を含み、
前記赤外光吸収トナーは、結着樹脂及び近赤外光吸収材料を含み、ベタ画像の６０度光沢度が３０以上であって、かつ、ベタ画像の６０度光沢度が前記カラートナーのベタ画像の６０度光沢度よりも１０以上高いことを特徴とする画像形成装置。
【請求項１２】
請求項１０又は１１に記載の画像形成装置において、
前記赤外光吸収トナーは、結着樹脂及び近赤外光吸収材料を含み、かつ、１００℃以上１４０℃以下の範囲内における正接損失（ｔａｎδｉ）が２．５以上であり、
前記カラートナーは、結着樹脂及び着色剤を含み、かつ、１００℃以上１４０℃以下の範囲内における正接損失（ｔａｎδｃ）が２以下であることを特徴とする画像形成装置。
【請求項１３】
請求項１０乃至１２のいずれか１項に記載の画像形成装置において、
前記赤外光吸収トナーは、重量平均粒径が５μｍ以上７μｍ以下であることを特徴とする画像形成装置。
【請求項１４】
請求項１０乃至１３のいずれか１項に記載の画像形成装置において、
前記カラートナーは、ベタ画像の８００ｎｍ以上の吸光度が０．０５未満となるものであることを特徴とする画像形成装置。
【請求項１５】
請求項１０乃至１４のいずれか１項に記載の画像形成装置において、
前記赤外光吸収トナーからなる特殊トナー像が前記記録媒体上で前記カラートナー像よりも前記記録媒体側に形成されることを特徴とする画像形成装置。
【請求項１６】
請求項１５に記載の画像形成装置において、
前記特殊画像形成動作により、互いに異なる情報を示す前記特殊トナー像からなる二次元コード画像と前記カラートナー像のベタ画像からなる二次元コード画像とを重ねて形成するとき、前記カラートナー像のベタ画像の８００ｎｍ以上９００ｎｍ以下の吸光度が０．０５未満であることを特徴とする画像形成装置。
【請求項１７】
請求項１乃至１６のいずれか１項に記載の画像形成装置において、
前記制御手段は、前記特殊画像形成動作の場合、前記特殊トナー像における単位面積当たりの特殊トナー量が０．３０ｍｇ／ｃｍ２以上０．４５ｍｇ／ｃｍ２以下となるように、かつ、前記特殊トナー像における単位面積当たりの特殊トナー量が、前記カラートナー像における単位面積当たりのカラートナー量よりも少なくなるようにすることを特徴とする画像形成装置。
【請求項１８】
イエロー、マゼンタ、シアンのうち少なくとも１つのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成装置において、
前記カラートナー像のみで形成した黒色画像の画像濃度よりも、前記カラートナー像と前記特殊トナー像とで形成した黒色画像の画像濃度の方が低いことを特徴とする画像形成装置。
【発明の詳細な説明】
【技術分野】
【０００１】
本発明は、画像形成装置に関するものである。
【背景技術】
【０００２】
従来、入力画像情報に基づいて、イエロー、マゼンタ、シアンのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成装置が知られている。
【０００３】
例えば、特許文献１には、特殊トナーとして、赤外線吸収トナーや蛍光トナーなどの非可視領域の光を吸収するトナーを用いた画像形成装置が開示されている。この画像形成装置では、赤外線吸収トナー等を用いて記録媒体上に秘匿画像及び当該秘匿画像を隠蔽する隠蔽画像を形成する際、１回の画像形成に用いられるトナーの総量（記録媒体上の単位面積内でトナーが占める面積率の総量。１色ベタ画像の場合のトナー総量は１００％である。）が予め定められた上限値を超えることを抑制する。具体的には、全種類（４種類）のトナーを用いる場合、トナー総量は最大４００％となるが、トナー総量の上限値は定着不良の関係から２３０％程度に設定されている。そのため、秘匿画像及び隠蔽画像については、１回当たり２種類のトナーを使用する等、トナー総量が当該上限値以下となるように、定着処理を含む画像形成動作を複数回に分けて実行する。
【発明の概要】
【発明が解決しようとする課題】
【０００４】
赤外線吸収トナー等の特殊トナーとカラートナーとを用いて画像形成を行う従来の画像形成装置では、定着不良を抑制するために、上述したように、定着処理を含む画像形成動作を複数回に分けて実行する。そのため、特殊トナー及びカラートナーを用いて画像形成する場合、特殊トナーを用いないで画像形成する場合（画像形成動作が１回の場合）と比べて、画像形成に要する時間がかかるという問題があった。
【課題を解決するための手段】
【０００５】
上述した課題を解決するために、本発明は、イエロー、マゼンタ、シアンのうち少なくとも１つのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成装置において、前記カラートナー像及び前記特殊トナー像を作像する特殊画像形成動作の場合、前記特殊トナー像を作像せずに同じカラートナー像を作像する通常画像形成動作時よりも、前記記録媒体上の単位面積当たりのカラートナー量を少なくするトナー量抑制制御を行う制御手段を有することを特徴とする。
【発明の効果】
【０００６】
本発明によれば、特殊トナー及びカラートナーを用いて画像形成する場合に要する時間を短くすることができる。
【図面の簡単な説明】
【０００７】
【図１】実施形態に係るプリンタの全体構成を示す説明図。
【図２】実施形態のプリンタにおける主要な制御に関わるブロック図。
【図３】実施形態における画像形成動作の流れを示すフローチャート。
【図４】（ａ）〜（ｄ）は、ＩＲトナー像とＹ、Ｍ、Ｃの各色トナー像とが重なって得られるトナー像の様子を示す模式図。
【図５】実施形態におけるトナー総量規制処理の一例を示す説明図。
【図６】実施形態におけるトナー総量規制処理の他の例を示す説明図。
【図７】実施形態におけるトナー総量規制処理の更に他の例を示す説明図。
【図８】実施形態におけるトナー総量規制処理の更に他の例を示す説明図。
【図９】（ａ）は、ＩＲトナー像の上にＹとＭの２色のトナー像を重ねた例の模式図。（ｂ）は、ＩＲトナー像の上にＭのトナー像のみを重ねた例の模式図。
【図１０】カラートナー像のみのパターン例を示す図。
【図１１】ＩＲトナー像に図１０に示すパターン例を重ね合わせた画像の一例を示す図。
【図１２】ＩＲトナー像にカラー画像を重ね合わせた画像の他の例を示す図。
【発明を実施するための形態】
【０００８】
以下、本発明を、画像形成装置であるカラープリンタ（以下「プリンタ」という。）に適用した一実施形態について、図面を参照して説明する。
なお、本実施形態では、一例として、本発明を４ステーション以下の画像形成装置に適用している。また、画像形成装置としては、入力画像情報に基づいて、イエロー（Ｙ）、マゼンタ（Ｍ）、シアン（Ｃ）のうちの少なくとも１つのカラートナーからなるカラートナー像と特殊トナーからなる特殊トナー像とを同じ記録媒体上に作像し、カラートナー像及び特殊トナー像を定着手段により記録媒体に定着させて画像を形成するものであれば、特に制限はない。したがって、プリンタ以外にも、複写機、ファクシミリ単体、あるいは、プリンタ、複写機、ファクシミリ、スキャナのうちの少なくとも２つの機能を備えた複合機であってもよい。また、カラートナーは、イエロー、マゼンタ、シアンの内の複数色の組み合わせでも良い。また、例えば、イエロー、マゼンタ、シアンを重ねて黒を表現したものカラートナー像である。
【０００９】
本実施形態のプリンタは、特殊トナーとして、記録媒体上で視認困難な視認困難画像を形成する特色トナーを用いる。このような特色トナーは、例えば、不正コピー防止等の目的で、カラートナーによる通常の画像とともに、不可視パターン、地紋などと呼ばれる目視で認識しにくい画像を記録媒体に形成し、画像中に付加情報を埋め込む場合に使用される。特色トナーとしては、透明性を有する赤外光吸収トナーや、紫外線を当てると蛍光する透明性の蛍光トナーなど、可視光領域外の光を吸収したり、可視光領域外の光によって可視光領域の光を発光したりするものが挙げられる。特色トナー（非顕在化トナー）は、可視光下で通常のカラートナーよりも透明性が高いトナーによって形成される画像であって、本実施形態ではさらに赤外光等を照射するなどの処理によって、発光、発色等が行われ、視認が容易になるようにされている。特色トナーとしては、可視光下で発色を抑制されているような透明トナーが望ましい。また、通常のカラートナーよりも色素含有量が少ない。
【００１０】
なお、特殊トナーは、少なくともイエロー、マゼンタ、シアン、ブラック以外の色、もしくは透明なトナーである。ここでは、白、メタリック等も含む。
【００１１】
本実施形態は、特色トナーとして、赤外光吸収トナーを用いる例で説明する。以下の説明において、各部材のトナー別符号として、イエロートナー（Ｙトナー）は「Ｙ」、マゼンタトナー（Ｍトナー）は「Ｍ」、シアントナー（Ｃトナー）は「Ｃ」、赤外光吸収トナー（ＩＲトナー）は「ＩＲ」を用いる。
【００１２】
まず、本実施形態に係るプリンタの全体構成及び動作について説明する。
図１は、本実施形態に係るプリンタの全体構成を示す説明図である。
本実施形態のプリンタは、画像形成部１と、転写部２と、記録媒体供給部３と、定着部４と、記録媒体排出部５と、制御部３０と、画像形成制御部４０とから、主に構成されている。
【００１３】
画像形成部１には、作像ユニットとしての４つのプロセスユニット６Ｙ，６Ｍ，６Ｃ，６ＩＲが設けられている。各プロセスユニット６Ｙ，６Ｍ，６Ｃ，６ＩＲは、使用するトナーの種類が異なる以外は同様の構成となっている。なお、本実施形態では、黒（Ｋ）のトナーを用いるプロセスユニットを備えていないので、カラー画像やモノクロ画像はＹ、Ｍ、Ｃのカラートナーのみを用いてを形成する。Ｋのプロセスユニットを追加してもよいが、その場合、装置が大型化するという欠点がある。
【００１４】
また、ＩＲのプロセスユニット６ＩＲを着脱可能な構成とし、ＩＲのプロセスユニットに代えて、Ｋのプロセスユニットを装着できるように構成してもよい。この場合、ＩＲトナーを用いずに画像形成を行う場合には、Ｋのプロセスユニットを装着することで、Ｙ、Ｍ、ＣのカラートナーとＫトナーとを用いて、カラー画像やモノクロ画像を形成することができる。
【００１５】
また、すべてのプロセスユニットを着脱可能とし、プロセスユニットを装着する位置を互いに入れ替えることができるようにしてもよい。この場合、ＩＲのプロセスユニットの位置を入れ替えることで、記録媒体上におけるＩＲトナー像と各カラートナー像との位置関係（トナー像積層方向における位置関係）を適宜入れ替えることが可能となる。
【００１６】
本実施形態において、各プロセスユニット６Ｙ，６Ｍ，６Ｃ，６ＩＲは、潜像を担持する潜像担持体としての感光体７と、感光体７の表面を帯電させる帯電手段としての帯電ローラ８と、感光体７上の潜像を現像する現像手段としての現像装置９と、感光体７の表面をクリーニングする潜像担持体クリーニング手段としての感光体クリーニング装置１０などで構成されている。各感光体７に対向した位置には、それぞれ、感光体７の表面に潜像を形成する潜像形成手段としての露光装置１１が設けられている。本実施形態では、露光装置１１としてＬＥＤユニットを用いているが、レーザダイオードを用いたレーザビームスキャン方式のものを用いてもよい。
【００１７】
転写部２には、感光体７上のトナー像が転写される中間転写体としての無端状の中間転写ベルト１２と、感光体７上の画像を中間転写ベルト１２に一次転写する一次転写手段としての複数の一次転写ローラ１３と、中間転写ベルト１２に転写されたトナー像を記録媒体に二次転写する二次転写手段としての二次転写ローラ１４と、中間転写ベルト１２の表面（外周面）をクリーニングする中間転写体クリーニング手段としてのベルトクリーニング装置１７とが配置されている。
【００１８】
中間転写ベルト１２は、駆動ローラ１５と従動ローラ１６とに張架されており、駆動ローラ１５が回転することで周回走行（回転）する。各一次転写ローラ１３は、中間転写ベルト１２を各感光体７に押し当てるように配置されている。これにより、中間転写ベルト１２と各感光体７との接触箇所には、各感光体７上の画像が中間転写ベルト１２に転写される一次転写ニップが形成される。一方、二次転写ローラ１４は、駆動ローラ１５に巻き付いた中間転写ベルト１２の部分に接触するように配置されている。この二次転写ローラ１４と中間転写ベルト１２とが接触する箇所には、中間転写ベルト１２上の画像が記録媒体に転写される二次転写ニップが形成される。
【００１９】
記録媒体供給部３には、記録媒体としての用紙Ｐを収容する記録媒体収容部としての給紙カセット１８と、給紙カセット１８から用紙Ｐを給送する記録媒体給送手段としての給紙ローラ１９と、給紙ローラ１９によって給送された用紙Ｐを所定のタイミングで前記二次転写ニップへ搬送する記録媒体搬送手段としてのタイミングローラ２０が配置されている。なお、記録媒体としては、用紙以外に、ＯＨＰシートやＯＨＰフィルム、布等であってもよい。また、用紙には、普通紙のほか、厚紙、はがき、封筒、薄紙、塗工紙（コート紙やアート紙等）、和紙等の凹凸紙、トレーシングペーパ等が含まれる。
【００２０】
定着部４には、用紙Ｐに画像を定着する定着手段としての定着装置２１が配置されている。定着装置２１は、ヒータ等の加熱源によって加熱される定着部材としての定着ローラ２２と、定着ローラ２２に対して所定の圧力で接触して定着ニップを形成する加圧部材としての加圧ローラ２３とから主に構成されている。
【００２１】
記録媒体排出部５には、定着装置２１から送り出された用紙Ｐを装置外に排出する記録媒体排出手段としての排紙ローラ２４と、排紙ローラ２４によって排出された用紙Ｐを載置する記録媒体載置部としての排紙トレイ２５とが配置されている。
【００２２】
制御部３０は、読取装置（スキャナ）やパソコン等からの入力画像情報に対する画像処理を行い、また、プリンタ全体の制御を担うものである。
また、画像形成制御部４０は、制御部３０の制御の下、プリンタの各部（画像形成部１、転写部２、記録媒体供給部３、定着部４、記録媒体排出部５等）における画像形成動作を制御するものである。
【００２３】
また、本実施形態のプリンタには、上述の各構成要素に加え、画像形成に用いられる粉体であるトナーを収容する粉体収容容器としての複数のトナーカートリッジ２６が装着されている。各トナーカートリッジ２６は、対応する現像装置９内のトナーと同じ色のトナーが収容されており、現像装置９内のトナーが所定量を下回ると、トナーカートリッジ２６からトナーが補給される。さらに、プリンタには、トナーカートリッジ２６とは別の粉体収容容器として、廃トナー収容容器２７が装着されている。この廃トナー収容容器２７には、ベルトクリーニング装置１７あるいは感光体クリーニング装置１０によって回収された廃トナーが収容される。
【００２４】
また、図１に示すように、本実施形態のプリンタは、装置本体（画像形成装置本体）１００の上部を開閉するためのカバー部材１０１を備える。カバー部材１０１は、装置本体１００に設けられた回動軸１０３を中心に上下に回動可能となっている。また、カバー部材１０１の下方には、４つのトナーカートリッジ２６を着脱可能に保持する容器保持部材１０２が配置されている。容器保持部材１０２は、装置本体１００に設けられた別の回動軸１０４を中心に上下に回動可能となっている。
【００２５】
本実施形態において、プロセスユニット６Ｙ，６Ｍ，６Ｃ，６ＩＲは、ＩＲトナーからなるＩＲトナー像（特殊トナー像）が、記録媒体上で、Ｙ、Ｍ、Ｃのカラートナーからなるカラートナー像よりも記録媒体側に形成されるように、ＩＲのプロセスユニット６ＩＲが中間転写ベルト１２の走行方向最下流側に配置され、その上流側にカラーのプロセスユニット６Ｙ，６Ｍ，６Ｃが配置されている。つまり、中間転写ベルト１２上では、ベルト側から順に、Ｙトナー像、Ｍトナー像、Ｃトナー像、ＩＲトナー像が積層されるが、これを二次転写した後の記録媒体上においては、記録媒体側から順に、ＩＲトナー像、Ｃトナー像、Ｍトナー像、Ｙトナー像の順となる。
【００２６】
ＩＲトナー像をカラートナー像よりも記録媒体側に形成することで、ＩＲトナー像がカラートナー像に隠れて視認性が落ち、ＩＲトナー像による画像の秘匿性を確保することが容易になる。ただし、カラーのプロセスユニット６Ｙ，６Ｍ，６Ｃに対してＩＲのプロセスユニット６ＩＲをどこに配置するかは、適宜設定可能である。また、上述したように、プロセスユニット６Ｙ，６Ｍ，６Ｃ，６ＩＲの装着位置を互いに入れ替えることができる構成とした場合には、ＩＲのプロセスユニットの位置を自由に入れ替えることができる。
【００２７】
また、本実施形態のプリンタでは、Ｙ、Ｍ、Ｃ、ＩＲの各トナーの付着量（単位面積当たりのトナー付着量）を調整して各トナーによる画像濃度の調整を行う。詳しくは、中間転写ベルト１２上に形成されるＹ、Ｍ、Ｃ、ＩＲの各トナーのテスト像（異なる目標濃度となるように作像された複数のトナーパッチ）のトナー付着量を検知するトナー付着量検知センサが設けられている。このトナー付着量検知センサで検知した結果から、所望の濃度に対して所望のトナーが付着するように、Ｙ、Ｍ、Ｃ、ＩＲの各プロセスユニットにおける作像条件（画像形成条件）等が調整される。
【００２８】
本実施形態のトナー付着量検知センサは、Ｙ、Ｍ、Ｃ、ＩＲの各テスト像に対して共通に使用されるものでもよいし、Ｙ、Ｍ、Ｃ、ＩＲの各テスト像に対して個別に使用されるものでもよい。また、本実施形態のトナー付着量検知センサは、光学式の画像濃度センサであり、正反射光および拡散反射光の両方を取得することによって各テスト像のトナー付着量（テスト像の画像濃度）を検知する。本実施形態のＩＲトナーは、定着処理後は不可視画像（目視しにくい画像、あるいは、可視光領域内に吸収ピークを実質的に持たない画像）となるが、定着処理前の中間転写ベルト１２上では、可視画像（目視できる画像、あるいは、可視光領域内に吸収ピークを実質的に持つ画像）であるため、Ｃ、Ｍ、Ｙと同様のトナー付着量検知センサを用いることができる。なお、ＩＲトナーのテスト像については、正反射光のみを取得してテスト像のトナー付着量を検知するよりも、正反射光および拡散反射光の両方を取得してテスト像のトナー付着量を検知する方が、高精度のトナー付着量検知を実現できる。
【００２９】
続いて、本実施形態のプリンタの基本的な動作について説明する。
画像形成動作が開始されると、各感光体７が回転駆動され、帯電ローラ８によって各感光体７の表面が所定の極性に一様に帯電される。次いで、読取装置（スキャナ）やパソコン等からの入力画像情報に基づき、露光装置１１が各感光体７の帯電面にＬＥＤ光（レーザ光）を照射し、潜像（静電潜像）を形成する。
【００３０】
各感光体７上に形成される潜像は、所望のフルカラー画像をＹ、Ｍ、Ｃの色情報に分解した単色の画像情報に基づく潜像である。詳しくは、入力画像情報の色情報（ＲＧＢ、ＹＣＭ等）を、当該プリンタ用の色情報（ＹＭＣ）へ変換・分解するための色変換分解テーブルを用い、入力画像情報を、Ｙ、Ｍ、Ｃの色情報に変換、分解した単色の画像情報を生成し、Ｙ、Ｍ、Ｃ用の各露光装置１１は、Ｙ、Ｍ、Ｃの各色の画像情報に基づいてそれぞれの感光体７上に各色の潜像を形成する。
【００３１】
また、本実施形態では、入力画像情報に含まれる付加情報や当該プリンタによって付加される付加情報等からＩＲの画像情報を生成する。入力画像情報に含まれる付加情報は、パソコン上のアプリケーションによって付加される情報でもよいし、パソコン上のプリントドライバによって付加される情報でもよい。ＩＲ用の露光装置１１は、ＩＲの画像情報に基づいてＩＲプロセスユニット６ＩＲの感光体７上にＩＲの潜像を形成する。
【００３２】
感光体７上に形成されたＹ、Ｃ、Ｍ、ＩＲの各潜像には、それぞれの現像装置９からトナーが供給されて、Ｙ、Ｃ、Ｍ、ＩＲのトナー像に現像される。各感光体７上のトナー像は、周回走行する中間転写ベルト１２上に順次重ね合せて転写される。詳しくは、感光体７上のトナー像が一次転写ニップの位置に達すると、一次転写ローラ１３に所定の電圧が印加されて形成される転写電界によって、感光体７上のトナー像が中間転写ベルト１２上に順次転写される。このようにして、中間転写ベルト１２の表面には、Ｙ、Ｃ、Ｍトナーからなるフルカラートナー像（可視像）及びＩＲトナーからなるＩＲトナー像（不可視像）が形成される。なお、中間転写ベルト１２に転写しきれなかった各感光体７上のトナーは、感光体クリーニング装置１０によって除去される。
【００３３】
また、画像形成動作が開始されると、給紙ローラ１９が回転して、給紙カセット１８から用紙Ｐが給送される。給送された用紙Ｐは、タイミングローラ２０によって搬送が一旦停止される。その後、所定のタイミングでタイミングローラ２０の回転駆動が開始され、中間転写ベルト１２上のトナー像が二次転写ニップに達するタイミングに合わせて、用紙Ｐが二次転写ニップへ搬送される。
【００３４】
用紙Ｐが二次転写ニップに搬送された際、二次転写ローラ１４には所定の電圧が印加されており、二次転写ニップに転写電界が形成されている。そして、この二次転写ニップに形成された転写電界によって、中間転写ベルト１２上のトナー像が用紙Ｐに一括して転写される。また、このとき、中間転写ベルト１２上に残ったトナーはベルトクリーニング装置１７によって除去される。
【００３５】
その後、用紙Ｐは定着装置２１へと搬送され、定着ローラ２２と加圧ローラ２３によってトナー像が加熱されつつ加圧されて用紙Ｐに定着される。そして、用紙Ｐは排紙ローラ２４によって装置外に排出され、排紙トレイ２５上に載置される。
【００３６】
以上の説明は、フルカラー画像を形成するときの画像形成動作であるが、４つのプロセスユニット６Ｙ，６Ｍ，６Ｃ，６ＩＲのいずれか１つを使用して画像を形成したり、いずれか２つ又は３つのプロセスユニットを使用して画像を形成したりすることも可能である。
【００３７】
次に、本発明の特徴部分である、カラートナー像及び特殊トナー像の両方を作像する特殊画像形成動作時の制御について、図面を参照して説明する。
以下の説明では、入力画像情報の色情報がＲＧＢ多値の情報であり、入力画像情報にＩＲの画像情報（付加情報）が含まれている場合に、そのＩＲの画像情報に基づいてＩＲ画像を形成する場合について説明する。なお、入力画像情報に含まれる付加情報は、画像情報でなくてもよく、非画像情報である場合には、例えば、制御部３０において、予め決められたＩＲ画像生成プログラムを実行し、その付加情報からＩＲの画像情報を生成する。また、入力画像情報に付加情報が含まれていない場合でも、制御部３０において、ユーザ指定等に応じたＩＲの画像情報を生成してもよい。
【００３８】
図２は、本実施形態のプリンタにおける主要な制御に関わるブロック図である。
本実施形態の制御部３０は、主に、主制御部３１と、記憶手段としての記憶部３２と、色変換・分解処理部３３と、ガンマ変換部３４と、トナー総量規制部３５と、階調変換部３６とから、構成されている。
【００３９】
主制御部３１は、ＣＰＵ、ＲＡＭ、ＲＯＭなどから構成され、各種プログラムを実行することにより、画像処理やプリンタの全体的な制御を実行する。
記憶部３２は、制御部３０の各部で用いる各種データやプログラムを記憶している。
【００４０】
色変換・分解処理部３３は、記憶部３２に記憶されている色変換分解テーブルを用いて、入力画像情報の色情報（ＲＧＢ）を、プリンタ用の色情報であるＹ、Ｍ、Ｃの色情報に変換、分解して、Ｙ、Ｍ、Ｃごとの画像情報を生成する。また、入力画像情報中にＩＲの画像情報が含まれている場合には、ＩＲの画像情報を入力画像情報から抽出して生成する。
【００４１】
ガンマ変換部３４は、記録媒体上において適切な階調を実現するために、記憶部３２に記憶されているガンマ変換テーブルを用いて、Ｙ、Ｍ、Ｃの各画像情報、及び、必要に応じてＩＲの画像情報も、γ（ガンマ）変換する処理を行う。
【００４２】
トナー総量規制部３５は、主制御部３１の制御の下、記憶部３２に記憶されているトナー付着量変換テーブルを用い、カラートナー像及びＩＲトナー像（特殊トナー像）の両方を作像する特殊画像形成動作の際、ＩＲトナー像を作像せずに同じカラートナー像を作像する通常画像形成動作時よりも、単位面積当たりのカラートナー量を少なくするトナー量抑制制御を行う。すなわち、本実施形態においては、主制御部３１及びトナー総量規制部３５によって、トナー量抑制制御を行う制御手段が実現される。
【００４３】
具体的には、トナー総量規制部３５は、記憶部３２に記憶されているトナー付着量変換テーブルを用い、単位面積当たりにＹトナー、Ｍトナー、Ｃトナー及びＩＲトナーが付着するトナー付着量の総量（以下「トナー総量」という。）が、定着上限値以下となるように、ガンマ補正（ガンマ変換）されたＹ、Ｍ、Ｃの各画像情報のトナー付着量変換処理（画像処理）を行う。このとき、ＩＲの画像情報についてもトナー付着量変換処理（画像処理）を行ってもよい。
【００４４】
階調変換部３６は、記憶部３２に記憶されているディザパターンデータを用いて、Ｙ、Ｍ、Ｃ、ＩＲの各画像情報を、中間調濃度に応じたディザパターンに変換する階調変換処理を実行する。
【００４５】
図３は、本実施形態における画像形成動作の流れを示すフローチャートである。
制御部３０は、読取装置（スキャナ）やパソコン等からの入力画像情報を取得すると（Ｓ１）、まず、ＩＲの画像情報を生成するか否かを判断する。ここでは、ＩＲの画像情報を生成するために用いる付加情報が入力画像情報に含まれているか否かを判断する（Ｓ２）。そして、付加情報が入力画像情報に含まれていると判断した場合には（Ｓ２のＹｅｓ）、その付加情報に基づいてＩＲの画像情報を生成する（Ｓ３）。ＩＲの画像情報の生成は、入力画像情報中にＩＲの画像情報が含まれている場合には、ＩＲの画像情報を入力画像情報から抽出して生成する。
【００４６】
続いて、制御部３０は、記憶部３２に記憶されている色変換分解テーブルを用いて、色変換・分解処理部３３により、入力画像情報の色情報（ＲＧＢ）を、プリンタ用の色情報であるＹ、Ｍ、Ｃの色情報に変換、分解する（Ｓ４）。そして、ガンマ変換部３４により、Ｙ、Ｍ、Ｃの各画像情報に対して、ガンマ変換処理を実行する（Ｓ５）。また、処理ステップＳ３でＩＲの画像情報を生成した場合には、ガンマ変換部３４により、ＩＲの画像情報に対して、ガンマ変換処理を実行する（Ｓ５）。
【００４７】
次に、制御部３０は、ガンマ変換処理後のＹ、Ｍ、Ｃ、ＩＲの画像情報に基づき、主制御部３１において、当該画像情報に基づく画像中に、単位面積当たりのトナー総量が、通常画像形成動作時（ＩＲトナーを用いずに画像形成を行う画像形成動作時）におけるカラートナー量の上限値である第一規定値を超えるトナー過剰部分が含まれているか否かを判断する（Ｓ６）。なお、この判断は、上述した処理ステップＳ２において付加情報（ＩＲ画像情報）が入力画像情報に含まれていると判断された場合（すなわち特殊画像形成動作時）に実行すればよく、通常画像形成動作時には実行する必要はない。
【００４８】
図４（ａ）〜（ｄ）は、ＩＲトナー像とＹ、Ｍ、Ｃの各色トナー像とが重なって得られるトナー像の様子を示す模式図である。
Ｙ、Ｍ、Ｃの各色トナー像は、図４（ａ）に示すように、ＩＲトナー像の上に、Ｙ、Ｍ、Ｃの各色トナー像のすべてを重ねるようにすることができるが、これに限られない。例えば、図４（ｂ）に示すように、Ｙ、Ｍ、Ｃの３色のトナー像の上にＩＲトナー像を重ねるようにすることもできる。また、例えば、図４（ｃ）に示すように、Ｙ、Ｍ、Ｃの各色トナー像の間にＩＲトナー像を挟むように重ねることもできる。また、ＩＲトナー像とＹ、Ｍ、Ｃの３色のトナー像とを重ねる場合、ＩＲトナーの上にＹ、Ｍ、Ｃのトナーが載っている必要はなく、図４（ｄ）に示すように、ＩＲトナーから外れた位置にＹ、Ｍ、Ｃのトナーが位置する場合も含まれる。いずれの重ね方にするかは、例えば、プロセスユニット６Ｙ，６Ｍ，６Ｃ，６ＩＲの並び順を変えることで、適宜選択することが可能である。また、ここでは、ＩＲトナーを例に挙げたが、白色トナー等のその他の特色トナーでも適用可能である。
【００４９】
単位面積当たりのトナー総量は、例えば、各色の単位面積当たりのトナー付着量を、単色ベタ画像を形成するときの目標トナー付着量を１００％とした相対値で示す場合には、第一規定値は、例えば２２０％に設定される。本実施形態では、黒（Ｋ）のトナーを用いるプロセスユニットを備えていないので、黒色の画像部分については、Ｙ、Ｍ、Ｃのトナー像を重ねて作像する必要があり、単位面積当たりのトナー総量が最大となる。通常画像形成動作時では、色変換・分解処理（Ｓ４）において、入力画像情報の色情報（ＲＧＢ）をプリンタ用の色情報であるＹ、Ｍ、Ｃの色情報に変換、分解する際に、黒色の画像部分であっても、単位面積当たりのトナー総量が第一規定値（例えば２２０％）以下となるように、例えば、Ｙトナー付着量、Ｍトナー付着量、Ｃトナー付着量がそれぞれ７０％となるように（この場合、トナー総量は２１０％）、処理される。しかしながら、この黒色の画像部分に更にＩＲ画像が重なる場合には、その部分で単位面積当たりのトナー総量が第一規定値（例えば２２０％）を超える場合がある。なお、黒色画像部分に限らず、比較的暗い色の画像部分については、ＩＲ画像を重ねると、トナー総量が第一規定値を超える場合がある。
【００５０】
主制御部３１は、単位面積当たりのトナー総量が第一規定値を超えるトナー過剰部分を含むと判断した場合（Ｓ６のＮｏ）、定着条件変更制御を実行する（Ｓ７）。具体的には、通常画像形成動作時よりも、定着装置２１の定着能力が高まるように、若しくは、定着装置２１による定着処理時間が長くなるように、又は、その両方となるように、主制御部３１は画像形成制御部４０へ制御命令を出力する。
【００５１】
定着装置２１の定着能力が高まる方法としては、例えば、定着温度を上昇させたり、定着ニップ圧を上昇させたりする方法が挙げられる。また、定着装置２１による定着処理時間が長くする方法としては、例えば、定着装置２１を通過する用紙Ｐの搬送速度を下げる方法が挙げられる。
【００５２】
このように定着条件を変更することで、ＩＲ画像も形成する特殊画像形成動作時において、通常画像形成動作時におけるカラートナー量の上限値を超えるトナー過剰部分が存在する場合であっても、１回の定着処理で、すなわち、定着装置２１に対して用紙Ｐを１回だけ通過させるだけで、定着不良を発生させることなく、Ｙ、Ｍ、Ｃ、ＩＲのトナー像を用紙Ｐに定着させることができる。
【００５３】
ただし、定着装置２１の定着能力を上げ過ぎたり、定着装置２１による定着処理時間を長くし過ぎたりすると、トナー過剰部分以外の部分に対して定着処理が過剰となり、許容しがたい画質劣化を引き起こしかねない。また、トナー総量が一定以上になると、定着条件を変えるだけでは、そもそも十分な定着を実現できないこともある。
【００５４】
上述したように、通常画像形成動作時では、色変換・分解処理（Ｓ４）において、入力画像情報の色情報（ＲＧＢ）をプリンタ用の色情報であるＹ、Ｍ、Ｃの色情報に変換、分解する際に、黒色の画像部分であっても、単位面積当たりのトナー総量が第一規定値（例えば２２０％）以下となるように処理される。しかしながら、この黒色の画像部分に更にＩＲ画像が重なる場合、例えば、ＩＲトナー像のトナー付着量が１００％であるＩＲ画像を重ねる場合には、その部分で単位面積当たりのトナー総量が第二規定値（例えば３００％）を超える場合がある。なお、黒色画像部分に限らず、比較的暗い色の画像部分については、ＩＲ画像を重ねると、トナー総量が第二規定値を超える場合がある。
【００５５】
そこで、本実施形態では、ガンマ変換処理後のＹ、Ｍ、Ｃ、ＩＲの画像情報に基づき、主制御部３１において、当該画像情報に基づく画像中に、単位面積当たりのトナー総量が１回の定着処理で定着可能な定着上限値である第二規定値（例えば３００％）を超える定着不能部分が含まれているか否かを判断する（Ｓ８）。なお、この判断も、上述した処理ステップＳ２において付加情報（ＩＲ画像情報）が入力画像情報に含まれていると判断された場合（すなわち特殊画像形成動作時）に実行すればよく、通常画像形成動作時には実行する必要はない。
【００５６】
主制御部３１は、単位面積当たりのトナー総量が第二規定値を超える定着不能部分を含むと判断した場合（Ｓ８のＹｅｓ）、トナー量抑制制御として、トナー総量規制部３５に対してトナー総量規制処理を実行させる（Ｓ９）。本実施形態のトナー総量規制処理では、カラートナー像及びＩＲトナー像の両方を作像する特殊画像形成動作の際、ＩＲトナー像を作像せずに同じカラートナー像を作像する通常画像形成動作時よりも、単位面積当たりのカラートナー量が少なくなるように、Ｙ、Ｍ、Ｃの各画像情報のトナー付着量変換処理（画像処理）を行う。
【００５７】
トナー総量規制処理では、記憶部３２に記憶されているトナー付着量変換テーブルを用い、ガンマ変換部３４から出力されるガンマ補正（ガンマ変換）後のＹ、Ｍ、Ｃの各画像情報を変換して、Ｙ、Ｍ、Ｃの各トナー像における単位面積当たりのトナー付着量を少なくし、単位面積当たりのトナー総量が第二規定値を超える定着不能部分が存在しないＹ、Ｍ、Ｃの各画像情報を生成する。
【００５８】
このようなトナー総量規制処理を行うことで、定着条件を変更するだけでは、定着処理が過剰となったり１回の定着処理で十分な定着が実現できなかったりする場合であっても、定着処理が過剰とならず、また、１回の定着処理で十分な定着を実現できるようになる。
【００５９】
トナー総量規制処理は、少なくとも定着不能部分のトナー総量を定着上限値である第二規定値以下まで少なくできれば、その処理内容に特に制限はない。
したがって、例えば、定着不能部分についてのみ、そのトナー総量が定着上限値である第二規定値以下となるようにし、定着不能部分以外の部分についてはそのまま維持するように、画像情報の一部（定着不能部分のみ）を変換する処理を実行して、定着不能部分のトナー総量が定着上限値である第二規定値以下まで少なくなるようにしてもよい。
また、例えば、図５に示す全体圧縮の例のように、輝度及び彩度の両方が全体的に圧縮されるように、画像情報の全体を変換する処理を実行し、定着不能部分のトナー総量が定着上限値である第二規定値以下まで少なくなるようにしてもよい。
また、例えば、図６に示す彩度重視の例のように、彩度を変えずに輝度だけが圧縮されるように、画像情報の全体を変換する処理を実行し、定着不能部分のトナー総量が定着上限値である第二規定値以下まで少なくなるようにしてもよい。
また、例えば、図７に示す輝度重視の例のように、輝度を変えずに彩度だけが圧縮されるように、画像情報の全体を変換する処理を実行し、定着不能部分のトナー総量が定着上限値である第二規定値以下まで少なくなるようにしてもよい。
また、例えば、図８に示す他の輝度重視の例のように、輝度を変えずに彩度だけが圧縮されるように、画像情報の全体を変換する処理を実行し、定着不能部分のトナー総量が定着上限値である第二規定値以下まで少なくなるようにしてもよい。
【００６０】
以上より、本実施形態によれば、付加情報（ＩＲ画像情報）が入力画像情報に含まれていないと判断された場合（Ｓ２のＮｏ）、すなわち、通常画像形成動作時の場合には、一般の画像形成動作と同様、入力画像情報の色情報（ＲＧＢ）をＹ、Ｍ、Ｃの色情報に変換、分解し（Ｓ４）、ガンマ変換処理した後（Ｓ５）、階調変換部３６により階調変換処理を実行する（Ｓ１０）。その後、階調変換部３６から出力されるＹ、Ｍ、Ｃの各画像情報は、画像形成制御部４０に送られ、通常の定着条件による画像形成動作が実行される（Ｓ１１）。
【００６１】
画像形成制御部４０は、Ｙ、Ｍ、Ｃの各画像情報に基づき、Ｙ、Ｍ、Ｃ用の各露光装置１１を制御して、Ｙ、Ｍ、Ｃの各潜像をそれぞれの感光体７上に形成する。そして、画像形成制御部４０は、現像装置９を制御して、各潜像をそれぞれのトナーによって現像してトナー像とし、転写部２の各部を制御して、中間転写ベルト１２上に順次重ね合せて転写した後、中間転写ベルト１２上のトナー像を用紙Ｐに一括して転写する。その後、画像形成制御部４０は、定着装置２１を制御して、トナー像を用紙Ｐに定着し、装置外へ排出する。
【００６２】
一方、付加情報（ＩＲ画像情報）が入力画像情報に含まれていると判断された場合（Ｓ２のＹｅｓ）、すなわち、特殊画像形成動作時の場合には、定着条件変更制御やトナー量抑制制御としてのトナー総量規制処理が実行される。具体的には、単位面積当たりのトナー総量が第一規定値を超え、かつ、第二規定値以下であるトナー過剰部分を含む場合には（Ｓ６のＮｏ、Ｓ８のＮｏ）、トナー量抑制制御は実行せずに、定着条件変更制御を実行し（Ｓ７）、１回の定着処理でも、定着不良の発生を抑制する。
【００６３】
他方、特殊画像形成動作時の場合において、単位面積当たりのトナー総量が第一規定値を超え、かつ、第二規定値も超える定着不能部分を含む場合には（Ｓ６のＮｏ、Ｓ８のＹｅｓ）、定着条件変更制御とともに（Ｓ７）、トナー総量規制処理も実行し（Ｓ９）、定着条件を変えるだけでは対応できない状況であっても、１回の定着処理で定着不良の発生を抑制する。
【００６４】
本実施形態によれば、上述したように、黒色の画像部分に更にＩＲ画像が重なる場合に、その部分で単位面積当たりのトナー総量が第二規定値（例えば３００％）を超え、トナー総量規制処理が実行される。したがって、本実施形態のプリンタでは、Ｙ、Ｍ、Ｃのカラートナー像のみで形成した黒色画像の画像濃度よりも、Ｙ、Ｍ、Ｃのカラートナー像にＩＲトナー像を重ねて形成した黒色画像の画像濃度の方が低いものとなる。
【００６５】
なお、本実施形態では、特殊画像形成動作時の場合、トナー総量に応じて、定着条件変更制御のみを実行し、又は、定着条件変更制御及びトナー量抑制制御としてのトナー総量規制処理の両方を実行する。しかしながら、定着条件変更制御を実行せず、トナー総量規制処理のみを実行するようにしてもよい。
【００６６】
また、本実施形態では、入力画像情報の色情報を当該プリンタ用の色情報へ変換するための色変換データとしては、通常画像形成動作時には、記憶部３２に記憶されている色変換分解テーブルを通常色変換データとして使用し、トナー量抑制制御としてのトナー総量規制処理を行うときには、記憶部３２に記憶されている色変換分解テーブル及びトナー付着量変換テーブルを、特別色変換データとして使用する。
【００６７】
また、本実施形態では、トナー総量が第一規定値又は第二規定値を超えるか否かによって定着条件変更制御やトナー量抑制制御としてのトナー総量規制処理を実行するか否かを決定しているが、定着条件変更制御やトナー総量規制処理を実行するか否かの条件はこれに限られない。例えば、付加情報（ＩＲ画像情報）が入力画像情報に含まれていると判断された場合には、常に、定着条件変更制御やトナー総量規制処理を実行するようにすれば、処理の簡略化が図れる。
【００６８】
本実施形態における画像形成装置では、いわゆる一次元コード（バーコード）をＩＲトナーを用いて印刷する際には、通常の粒状度（１０６Ｌｉｎｅ／ｉｎｃｈ）で印刷する。これは、一次元コードの読み取り精度は粒状度が低い方が高精度であるためである。また、基本的にはベタ画像を利用する。実際の挙動としては、一次元コードを印刷するモードでは、１０６Ｌｉｎｅ／ｉｎｃｈでベタ画像を作成し、一次元コードではない図形（文字や記号など）を印刷するモード（ＩＲモード）では、３０Ｌｉｎｅ／ｉｎｃｈのスクリーン線数、５％の画像面積率で、画像を作成する。
【００６９】
なお、ＩＲモードでも、画像面積率や粒状度を変更できるようになっている。このようにすることで、必要に応じて、視認困難度、粒状度について調整や切り替えを行うことができる。例えば、粒状度が多少悪くても視認困難度を向上させたいケースでは、画像面積率を低くし、粒状度を上げるような調整や切り替えが操作者等によって可能になっていることが好ましい。
【００７０】
また、色の重ねによって視認性が変わるため、例えば、ＩＲトナー単色でＩＲモードを実行する場合には、３０Ｌｉｎｅ／ｉｎｃｈのスクリーン線数、５％の画像面積率で、ＩＲトナー画像を形成し、２色重ねる場合には、１０Ｌｉｎｅ／ｉｎｃｈのスクリーン線数、５％の画像面積率で、ＩＲトナー画像を形成する。つまり、ＩＲトナー単色モードと、色重ねモードとが存在する。色を重ねると、視認困難度が上昇するため、重ねる色が多い場合には、重ねる色が少ない場合よりも、ＩＲ画像の画像面積率を維持もしくは低くして、粒状度を高くするように制御されることになる。
【００７１】
また、本実施形態の画像形成装置では、通常のカラートナー画像を印刷する際には、予め設定されたスクリーン線数（デフォルト設定値）で印刷がなされるように設定されており、ＩＲトナーを利用する場合には、スクリーン線数を低下させて（粒状度、空間周波数、孤立ドット数を変更して）、印刷がなされるように設定される。より詳述すると、少なくともカラートナーのみ印刷する場合（カラートナーモード、第１のモード）には定められたスクリーン線数を利用し、ＩＲトナーを利用する場合で、視認性を低下させる場合（視認不可モード、第２のモード）には、スクリーン線数が低下するモードを利用可能になっている。
【００７２】
視認性を低下させる場合のモード時には、画像面積率は少なくともベタ画像よりも低下させている。視認性を低下させる場合のモード時における画像面積率やスクリーン線数は、双方とも予め設定された値がデフォルト値として設定されているが、双方またはいずれか一方を操作者等によって変更されるものでも良い。この場合、視認性を低下させるモード時には、画像面積率はデフォルトでは５０％以下に設定されていて、スクリーン線数は４０Ｌｉｎｅ／ｉｎｃｈ以下に設定されているのが望ましい。画像面積率は、当然ベタよりも小さく設定される。
【００７３】
また、ここでは、ＩＲトナー像とＹ、Ｍ、Ｃの３色トナー像とを重ねる例で説明したが、これに限らず、例えば、ＩＲトナー像の上にＭトナー像とＣトナー像の２色トナー像、ＩＲトナー像の上にＣトナー像とＹトナー像の２色トナー像、ＩＲトナー像の上にＹトナー像とＭトナー像の２色トナー像、あるいは、Ｙ、Ｍ、Ｃのいずれか１色のトナー像とＩＲトナー像とを重ねる場合でも、適用可能である。なお、図９（ａ）に示す例は、ＩＲトナー像の上にＹとＭの２色のトナー像を重ねた例であり、図９（ｂ）に示す例は、ＩＲトナー像の上にＭのトナー像のみを重ねた例である。
【００７４】
次に、本実施形態で使用されるトナーについて説明する。 
本実施形態のトナーセットは、カラートナーと特殊トナーであるＩＲトナーとを有するトナーセットである。
カラートナーは、結着樹脂、及び着色剤を含有し、更に必要に応じてその他の成分を含有する。
ＩＲトナーは、結着樹脂、及び近赤外光吸収材料を含有し、更に必要に応じてその他の成分を含有する。
【００７５】
本実施形態において、トナーセットが下記のいずれかの条件を満たすときに、記録媒体表面に、ＩＲトナー像（不可視トナー像）とともに形成されるカラートナー像を目視した際に、カラートナー像の画質の視認性、及びＩＲトナー像の読み取り精度が良好であるトナーセットが提供される点で、好ましい。
・第１の条件としては、カラートナーとＩＲトナーとを有し、ＩＲトナーのベタ画像の６０度光沢度が、３０以上であり、ＩＲトナーのベタ画像の６０度光沢度が、カラートナーのベタ画像の６０度光沢度より１０以上高い。
・第２の条件としては、カラートナーとＩＲトナーとを有し、ＩＲトナーの１００℃以上１４０℃以下の範囲内における正接損失（ｔａｎδｉ）が、２．５以上であり、カラートナーの１００℃以上１４０℃以下の範囲内における正接損失（ｔａｎδｃ）が、２以下である。
【００７６】
特開２００１−２６５１８１号公報の記載のトナーにおいては、重ねられたトナー画像に関し規定がないことから、重ねあわされた画像の光沢度の差異で不可視画像が可視化されてしまう問題があった。その問題を解決するために、特開２００７−１７１５０８号公報、特開２００７−００３９４４号公報、及び特開２０１０−１１３３６８号公報では、用いられるカラートナーの光沢度よりも低い光沢度のＩＲトナーとすることを提案している。しかし、近年電子写真式の画像出力は一般的なオフセット印刷などのような高グロスの画像との差別化要求より、比較的低グロスの画像要求が高まっている。そのため、カラートナーが高グロスである場合、２次色、３次色はもとより不可視画像（ＩＲ画像）との重ね部位などの高付着部のグロスが高くなりＩＲ画像の位置が目視で顕著となる問題が生じる。更に、ＩＲ画像上にカラートナーを画像形成すると、定着ニップの加熱加圧時にＩＲトナー層に積層されたカラートナーが入り込みやすくなることから、ＩＲ画像の情報を機械読み取りするときの読取精度が不安定となる問題がある。
【００７７】
＜ＩＲトナー＞
ＩＲトナーは、結着樹脂、及び近赤外光吸収材料を含有し、更に必要に応じてその他の成分を含有する。
【００７８】
＜＜結着樹脂＞＞
結着樹脂としては、特に制限はなく、従来公知の樹脂がすべて使用可能である。結着樹脂としては、例えば、スチレン、α−メチルスチレン、クロロスチレン、スチレン−プロピレン共重合体、スチレン−ブタジエン共重合体、スチレン−塩化ビニル共重合体、スチレン−酢酸ビニル共重合体、スチレン−マレイン酸共重合体、スチレン−アクリル酸エステル共重合体、スチレン−メタクリル酸エステル共重合体、スチレン−アクリロニトリル−アクリル酸エステル共重合体などのスチレン系樹脂、ポリエステル樹脂、塩化ビニル樹脂、ロジン変成マレイン酸樹脂、フェノール樹脂、エポキシ樹脂、ポリエチレン樹脂、ポリプロピレン樹脂、アイオノマー樹脂、ポリウレタン樹脂、シリコーン樹脂、ケトン樹脂、キシレン樹脂、石油系樹脂、水素添加された石油系樹脂などが挙げられる。これらは、１種単独で使用してもよいし、２種以上を併用してもよい。これら中でも、芳香族化合物を構成単位として含有するスチレン系樹脂、及びポリエステル樹脂が好ましく、ポリエステル樹脂がより好ましい。
【００７９】
ポリエステル樹脂は、一般公知のアルコールと酸との重縮合反応によって得られる。
アルコールとしては、例えば、ポリエチレングリコール、ジエチレングリコール、トリエチレングリコール、１，２−プロピレングリコール、１，３−プロピレングリコール、１，４−プロピレングリコール、ネオペンチルグリコール、１，４−ブテンジオールなどのジオール類、１，４−ビス（ヒドロキシメチル）シクロヘキサン、ビスフェノールＡ、水素添加ビスフェノールＡ、ポリオキシエチレン化ビスフェノールＡ、ポリオキシプロピレン化ビスフェノールＡなどのエーテル化ビスフェノール類、これらを炭素数３〜２２の飽和もしくは不飽和の炭化水素基で置換した二価のアルコール単位体、その他の二価のアルコール単位体、ソルビトール、１，２，３，６−ヘキサンテトロール、１，４−サルビタン、ペンタエスリトールジペンタエスリトール、トリペンタエスリトール、蔗糖、１，２，４−ブタントリオール、１，２，５−ペンタントリオール、グリセロール、２−メチルプロパントリオール、２−メチル−１，２，４−ブタントリオール、トリメチロールエタン、トリメチロールプロパン、１，３，５−トリヒドロキシメチルベンゼン等の三価以上の高アルコール単量体などが挙げられる。これらは、１種単独で使用してもよいし、２種以上を併用してもよい。
【００８０】
酸としては、特に制限はなく、目的に応じて適宜選択することができるが、カルボン酸が好ましい。
カルボン酸としては、例えば、パルミチン酸、ステアリン酸、オレイン酸などのモノカルボン酸、マレイン酸、フマール酸、メサコン酸、シトラコン酸、テレフタル酸、シクロヘキサンジカルボン酸、コハク酸、アジピン酸、セバチン酸、マロン酸、これらを炭素数３〜２２の飽和もしくは不飽和の炭化水素基で置換した二価の有機酸単量体、これらの酸の無水物、低級アルキルエステルとリノレイン酸の二量体、１，２，４−ベンゼントリカルボン酸、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、テトラ（メチレンカルボキシル）メタン、１，２，７，８−オクタンテトラカルボン酸エンボール三量体酸、これらの酸の無水物等の三価以上の多価カルボン酸単量体などが挙げられる。これらは、１種単独で使用してもよいし、２種以上を併用してもよい。
【００８１】
なお、結着樹脂には、結晶性樹脂を含有させることもできる。
結晶性樹脂としては、結晶性を有するものであれば、特に制限はなく、目的に応じて適宜選択することができ、例えば、ポリエステル樹脂、ポリウレタン樹脂、ポリウレア樹脂、ポリアミド樹脂、ポリエーテル樹脂、ビニル樹脂、変性結晶性樹脂などが挙げられる。これらは、１種単独で使用してもよいし、２種以上を併用してもよい。これらの中でも、ポリエステル樹脂、ポリウレタン樹脂、ポリウレア樹脂、ポリアミド樹脂、ポリエーテル樹脂が好ましく、耐湿性や後述の非晶性樹脂との非相溶性を持たせるためにウレタン骨格及びウレア骨格の少なくともいずれかを有する樹脂が好ましい。
【００８２】
結晶性樹脂の重量平均分子量（Ｍｗ）としては、定着性の観点からは、２，０００〜１００，０００が好ましく、５，０００〜６０，０００がより好ましく、８，０００〜３０，０００が特に好ましい。重量平均分子量が、２，０００以上であると、耐ホットオフセット性が悪化する不具合を防止することができ、１００，０００以下であると、低温定着性が悪化する不具合を防止することができる。
【００８３】
＜＜近赤外光吸収材料＞＞
近赤外光吸収材料としては、無機材料系、及び有機材料系のいずれも用いることができる。
これまでにも、付加データ埋め込み技術のために、透明性を有する（不可視な）赤外線吸収材料が種々検討されており、様々な材料が開示されている。例えば、無機材料系では、イッテルビウムなどの希土類金属（特開平９−７７５０７号公報、特開平９−１０４８５７号公報）や銅リン酸結晶化ガラスを含有する赤外線吸収材料（特開平７−５３９４５号公報、特開２００３−１８６２３８号公報）など、有機材料系としては、アルミニウム化合物（特開平７−２７１０８１号公報）や、クロコニウム色素（特開２００１−２９４７８５号公報）が挙げられる。また、特開２００２−１４６２５４号公報には、７５０ｎｍ〜１１００ｎｍに分光吸収極大波長を有し、かつ６５０ｎｍにおける吸光度が、該分光吸収極大波長における吸光度の５％以下である赤外線吸収材料を含有する有機材料が提案されている。更に、特開２００７−１７１５０８号公報、特開２００７−３９４４号公報、特開２０１０−１１３３６８号公報、及び特開２００８−７６６６３号公報には、ナフタロシアニン顔料を用いることが提案されており、可視光の吸光度及び赤外域の吸光度の差異の面から優れた技術といえる。
【００８４】
無機材料系の近赤外光吸収材料としては、例えば、燐酸、シリカ、ホウ酸等の可視域の波長を透過する公知のガラス網目形成成分に、遷移金属イオンや、無機及び／又は有機化合物からなる色素等の材料を添加したガラスや、これを熱処理により結晶化した結晶化ガラスなどが挙げられる。これらの無機材料は可視領域の光を良く反射して、不可視の画像を得ることができる。
【００８５】
有機材料系の近赤外光吸収材料としては、例えば、フタロシアニン系化合物、アントラキノン系化合物等の有色材料；アルミニウム塩系化合物、ナフタロシアニン系化合物等の無色材料などが挙げられる。これらの中でも、添加により画像を着色してしまうことがなく、赤外光域の吸収が十分に大きいことから添加量を抑えられ、結果としてカラー画像の画質を損ねない点から、無色材料が好ましい。
無色材料の中でも、可視光域の吸光度が非常に低く、無色に近い特徴があり、更にはトナーの帯電への影響が小さいことから、ナフタロシアニン系化合物が好ましい。
【００８６】
ナフタロシアニン系化合物としては、特に制限はなく、目的に応じて適宜選択することができるが、以下に例示する化合物が好ましい。
【００８７】
【化１】
2019117371.tif 000003
【００８８】
ただし、化学式（１）において、Ｍｅｔは、２個の水素原子、２価の金属原子、３価もしくは４価の置換金属原子を表し、Ａ１〜Ａ８は、同一もしくは異なっていてもよく、それぞれ、水素原子、ハロゲン原子、置換もしくは非置換のアルキル基、置換もしくは非置換のアリール基、置換もしくは非置換のアルコキシ基、置換もしくは非置換のアリールオキシ基、置換もしくは非置換のアルキルチオ基又は置換もしくは非置換のアリールチオ基を表し、但し、Ａ１とＡ２、Ａ３とＡ４、Ａ５とＡ６、Ａ７とＡ８の各組み合わせにおいて、その両方が同時に水素原子又はハロゲン原子になることはなく、Ｙ１〜Ｙ１６は、同一もしくは異なっていてもよく、それぞれ、水素原子、ハロゲン原子、置換もしくは非置換のアルキル基、置換もしくは非置換のアリール基、置換もしくは非置換のアルコキシ基、置換もしくは非置換のアリールオキシ基、置換もしくは非置換のアルキルチオ基、置換もしくは非置換のアリールチオ基、置換もしくは非置換のアルキルアミノ基、置換もしくは非置換のジアルキルアミノ基、置換もしくは非置換のアリールアミノ基、置換もしくは非置換のジアリールアミノ基、置換もしくは非置換のアルキルアリールアミノ基、ヒドロキシ基、メルカプト基、ニトロ基、ニトリル基、オキシカルボニル基、アルコキシカルボニル基、アリールオキシカルボニル基、アミノカルボニル基又はモノもしくはジ置換アミノカルボニル基を表す。
【００８９】
近赤外光吸収材料の読み取り波長の反射率としては、赤外光照射により機械読み取りを安定して行う点から、５０％以下であることが好ましい。反射率が５０％以下であると、読み取り精度が下がるという不具合を防止することができる。
反射率の測定方法としては、例えば、出力したベタ画像を、分光光度計（例えば、Ｖ−６６０（日本分光株式会社製）、ｅＸａｃｔ（Ｘ−Ｒｉｔｅ社製）等）を用いて測定することができる。
【００９０】
近赤外光吸収材料はトナー粒子中に分散して含有することが好ましい。
近赤外光吸収材料をトナー表面に外部固着或いはトナー粒子群に混合添加した場合、トナー粒子及び現像剤中で材料凝集などを発生させる可能性が有り、さらにバルクとして必要量添加してもトナー表面に外部固着或いは現像剤調整の段階で、機器への付着などで失われ、ＩＲ画像中の近赤外光吸収材料が不足または偏在等することで情報を正確且つ安定に読み出せなくなってしまう。また、遊離した近赤外光吸収材料が機内、特に感光体等を汚染することで現像、転写などの他工程に悪影響を与える可能性も考えられる。  また、前述の有機系近赤外光吸収材料を用いる場合、無機系材料に比べ結着樹脂に対する分散性が良く、画像出力媒体上に形成されたＩＲ画像中に均一に分散し、可視域においてより不可視性を損なうことなく、赤外域においては十分な吸収を示すことで情報が高密度に記録でき、且つトナー中への分散性が良いことからＩＲ画像の機械読み取り・復号化処理が長期間わたり安定に行うことが可能となる。
【００９１】
近赤外光吸収材料の含有量の数値範囲としては、近赤外光吸収材料の特性により異なる。近赤外光吸収材料の含有量の種類に関わらず、含有量が十分ではないと、近赤外光の吸収が十分ではなくなる。近赤外光の吸収が十分ではないと、ＩＲトナーを紙などの媒体に多く付着させなければならない。このため、ＩＲトナーの集合物（塊）による視認可能な凹凸を生じると共に、資源に無駄が生じる不具合が発生する。近赤外光吸収材料の含有量が過剰であると、近赤外光吸収材料は若干ではあれど、可視光波長域に吸収がある。このため、近赤外光吸収材料そのものが、視認されやすくなるという不具合が発生する。
透明性を有する（不可視の）近赤外光吸収材料としてよく用いられるバナジルナフタロシアニンの場合において、その含有量としては、ＩＲトナーに対して、０．３質量％以上１．０質量％以下が好ましい。
【００９２】
＜＜その他の成分＞＞
その他の成分としては、通常、トナーに含有されるものであれば、特に制限はなく、目的に応じて適宜選択することができ、例えば、離型剤、帯電制御剤、外添剤などが挙げられる。
【００９３】
＜＜＜離型剤＞＞＞
離型剤としては、天然ワックス、及び合成ワックスのいずれも用いることができる。これらは、１種単独で使用してもよいし、２種以上を併用してもよい。
天然ワックスとしては、例えば、カルナバワックス、綿ロウ、木ロウ、ライスワックス等の植物系ワックス；ミツロウ、ラノリン等の動物系ワックス；オゾケライト、セルシン等の鉱物系ワックス；パラフィン、マイクロクリスタリン、ペトロラタム等の石油ワックスなどが挙げられる。
【００９４】
合成ワックスとしては、例えば、フィッシャー・トロプシュワックス、ポリエチレンワックス等の合成炭化水素ワックス；エステル、ケトン、エーテル等の合成ワックス；１，２−ヒドロキシステアリン酸アミド、ステアリン酸アミド、無水フタル酸イミド、塩素化炭化水素等の脂肪酸アミド；低分子量の結晶性高分子である、ポリメタクリル酸ｎ−ステアリル、ポリメタクリル酸ｎ−ラウリル等のポリアクリレートのホモポリマー又はコポリマー（例えば、アクリル酸ｎ−ステアリルーメタクリル酸エチル共重合体等）等の側鎖に長鎖アルキル基を有する結晶性高分子などが挙げられる。
【００９５】
これらの中でも、離型剤としては、モノエステルワックスを含むことが好ましい。モノエステルワックスは、一般的な結着樹脂との相溶性が低いため、定着時に表面に染み出しやすく、高い離型性を示し、高光沢と高い低温定着性を確保できる。
モノエステルワックスとしては、合成エステルワックスであることが好ましい。合成エステルワックスとしては、例えば、長鎖直鎖飽和脂肪酸と長鎖直鎖飽和アルコールから合成されるモノエステルワックスなどが挙げられる。長鎖直鎖飽和脂肪酸は、一般式ＣｎＨ２ｎ＋１ＣＯＯＨで表わされ、ｎ＝５〜２８程度のものが好ましく用いられる。また、長鎖直鎖飽和アルコールとしては、ＣｎＨ２ｎ＋１ＯＨで表わされ、ｎ＝５〜２８程度が好ましい。
【００９６】
長鎖直鎖飽和脂肪酸の具体例としては、例えば、カプリン酸、ウンデシル酸、ラウリン酸、トリデシル酸、ミリスチン酸、ペンタデシル酸、パルミチン酸、ヘプタデカン酸、テトラデカン酸、ステアリン酸、ノナデカン酸、アラモン酸、ベヘン酸、リグノセリン酸、セロチン酸、ヘプタコサン酸、モンタン酸およびメリシン酸などが挙げられる。一方、長鎖直鎖飽和アルコールの具体例としては、例えば、アミルアルコール、ヘキシールアルコール、ヘプチールアルコール、オクチルアルコール、カプリルアルコール、ノニルアルコール、デシルアルコール、ウンデシルアルコール、ラウリルアルコール、トリデシルアルコール、ミリスチルアルコール、ペンタデシルアルコール、セチルアルコール、ヘプタデシルアルコール、ステアリルアルコール、ノナデシルアルコール、エイコシルアルコール、セリルアルコールおよびヘプタデカンノオールなどが挙げられ、低級アルキル基、アミノ基、ハロゲン等の置換基を有していてもよい。
【００９７】
離型剤の融点は、５０℃〜１２０℃が好ましい。離型剤の融点が数値範囲であると、定着ローラとトナー界面の間で離型剤として効果的に作用することができるため、定着ローラにオイル等の離型剤を塗布しなくても高温耐オフセット性を向上させることができる。具体的には、融点が５０℃以上であると、トナーの耐熱保存性が悪化する不具合を防止することができ、１２０℃以下であると、低温での離型性が発現されず、耐コールドオフセット性の悪化、定着機への紙の巻付きなどが発生するという不具合を防止することができる。
離型剤の融点の測定としては、例えば、示差走査熱量計であるＴＧ−ＤＳＣシステムＴＡＳ−１００（理学電機社製）を用いて、最大吸熱ピークを測定することにより求めることができる。
【００９８】
離型剤の含有量としては、結着樹脂に対して、１質量％〜２０質量％が好ましく、３質量％〜１０質量％がより好ましい。含有量が、１質量％以上であると、オフセット防止効果が不十分となる不具合を防止することができ、２０質量％以下であると、転写性、耐久性が低下するという不具合を防止することができる。
【００９９】
また、モノエステルワックスの含有量としては、ＩＲトナー１００質量部に対して、４質量部〜８質量部が好ましく、５質量部〜７質量部がより好ましい。含有量が、４質量部以上であると、定着時における表面への染み出しが不十分となること、離型性が悪くなること、並びに光沢、低温定着性、及び耐高温オフセット性が低下することの不具合を防止することができる。含有量が、８質量部以下であると、トナー表面に析出する離型剤の量が増え、トナーとしての保存性が低下し、感光体等へのフィルミング性が低下するという不具合を防止することができる。
【０１００】
本実施形態のトナーは、ワックス分散剤を含有することが好ましく、分散剤がモノマーとして少なくともスチレン、ブチルアクリレート、及びアクリロニトリルを含む共重合体組成物、並びに共重合体組成物のポリエチレン付加物であることが好ましい。
ワックス分散剤の含有量としては、ＩＲトナー１００質量部に対して、７質量部以下であることが好ましい。ワックス分散剤を含有することにより、ワックスの分散効果が得られ、製造方法に左右されることなく安定的に保存性の向上が期待できる。また、ワックスの分散効果によりワックス径が小さくなり、感光体等へのフィルミング現象を抑制できる。含有量が７質量部以下であると、ポリエステル樹脂に対する非相溶成分が多くなり、光沢が低下すること、ワックスの分散性が高くなりすぎるために、耐フィルミング性は向上するが、定着時のワックスの表面への染み出しが悪くなり、低温定着性、耐ホットオフセット性が低下することなどの不具合を防止することができる。
【０１０１】
＜＜＜帯電制御剤＞＞＞
帯電制御剤としては、公知のものを全て使用することができ、例えば、ニグロシン系染料、トリフェニルメタン系染料、クロム含有金属錯体染料、モリブデン酸キレート顔料、ローダミン系染料、アルコキシ系アミン、第４級アンモニウム塩（フッ素変性４級アンモニウム塩を含む）、アルキルアミド、燐の単体または化合物、フッ素系活性剤、サリチル酸金属塩、及びサリチル酸誘導体の金属塩などが挙げられる。これらは、１種単独で使用してもよいし、２種以上を併用してもよい。
【０１０２】
帯電制御剤としては、適宜合成したものを使用してもよいし、市販品を使用してもよい。市販品としては、例えば、ボントロン０３、ボントロンＰ−５１、ボントロンＳ−３４、Ｅ−８２、Ｅ−８４、Ｅ−８９（以上、オリエント化学工業社製）、ＴＰ−３０２、ＴＰ−４１５、コピーチャージＰＳＹ  ＶＰ２０３８、コピーブルーＰＲ、コピーチャージ  ＮＥＧ  ＶＰ２０３６、コピーチャージ  ＮＸ  ＶＰ４３４（以上、ヘキスト社製）、ＬＲＡ−９０１、ＬＲ−１４７（日本カーリット社製）などが挙げられる。
【０１０３】
帯電制御剤の含有量としては、結着樹脂の種類、必要に応じて使用される添加剤の有無、分散方法を含めたトナー製造方法に応じて適宜選択することができるが、結着樹脂１００質量部に対して、０．１質量部〜５質量部が好ましく、０．２質量部〜２質量部がより好ましい。含有量が、５質量部以下であると、トナーの帯電性が大きすぎ、主帯電制御剤の効果を減退させ、現像ローラとの静電的吸引力が増大し、現像剤の流動性低下や、画像濃度の低下を招く不具合を防止することができる。
【０１０４】
また、帯電制御剤の中でも三価以上の金属塩を用いることでトナーの熱物性を制御することも可能である。金属塩を含むことにより、定着時に結着樹脂の酸性基と架橋反応が進行し、弱い三次元的な架橋を形成することで、低温定着性を維持しつつ、耐高温オフセット性を得ることができる。 
【０１０５】
金属塩としては、例えば、サリチル酸誘導体の金属塩、アセチルアセトナート金属塩などが挙げられる。金属としては、３価以上の多価イオン金属であれば、特に制限はなく、目的に応じて適宜選択することができ、例えば、鉄、ジルコニウム、アルミニウム、チタン、ニッケルなどが挙げられる。これらの中でも、３価以上のサリチル酸金属化合物が好ましい。
【０１０６】
金属塩の含有量としては、特に制限はなく、目的に応じて適宜選択することができるが、例えば、ＩＲトナー１００質量部に対して、０．５質量部〜２質量部が好ましく、０．５質量部〜１質量部がより好ましい。含有量が、０．５質量部以上であると、耐ホットオフセット性に劣る不具合を防止することができ、含有量が、２質量部以下であると、光沢性が劣る不具合を防止することができる。
【０１０７】
＜＜＜外添剤＞＞＞
外添剤は、流動性や現像性、帯電性を補助するために含有される。外添剤としては、特に制限はなく、目的に応じて適宜選択することができ、例えば、無機微粒子、高分子系微粒子などが挙げられる。
無機微粒子としては、例えば、シリカ、アルミナ、酸化チタン、チタン酸バリウム、チタン酸マグネシウム、チタン酸カルシウム、チタン酸ストロンチウム、酸化亜鉛、酸化スズ、ケイ砂、クレー、雲母、ケイ灰石、ケイソウ土、酸化クロム、酸化セリウム、ペンガラ、三酸化アンチモン、酸化マグネシウム、酸化ジルコニウム、硫酸バリウム、炭酸バリウム、炭酸カルシウム、炭化ケイ素、窒化ケイ素などが挙げられる。これらは、１種単独で使用してもよいし、２種以上を併用してもよい。
高分子系微粒子としては、例えば、ソープフリー乳化重合や懸濁重合、分散重合によって得られるポリスチレン、メタクリル酸エステルやアクリル酸エステル共重合体やシリコーン、ベンゾグアナミン、ナイロンなどの重縮合系、熱硬化性樹脂による重合体粒子などが挙げられる。
【０１０８】
外添剤は、表面処理剤による表面処理を行なって、疎水性を上げ、高湿度下においても流動特性や帯電特性の悪化を防止することができる。
表面処理剤としては、例えば、シランカップリング剤、シリル化剤、フッ化アルキル基を有するシランカップリング剤、有機チタネート系カップリング剤、アルミニウム系のカップリング剤、シリコーンオイル、変性シリコーンオイルなどが挙げられる。
【０１０９】
外添剤の一次粒子径としては、５ｎｍ〜２μｍが好ましく、５ｎｍ〜５００ｎｍがより好ましい。また、外添剤のＢＥＴ法による比表面積としては、２０ｍ２／ｇ〜５００ｍ２／ｇが好ましい。
外添剤の含有量としては、ＩＲトナーに対して０．０１質量％〜５質量％が好ましく、０．０１質量％〜２．０質量％がより好ましい。
【０１１０】
＜＜＜クリーニング性向上剤＞＞＞
クリーニング性向上剤は、感光体や一次転写媒体に残存する転写後の現像剤を除去するために含有される。クリーニング性向上剤としては、例えば、ステアリン酸亜鉛、ステアリン酸カルシウム、ステアリン酸など脂肪酸金属塩；ポリメチルメタクリレート微粒子、ポリスチレン微粒子などのソープフリー乳化重合などによって製造された、ポリマー微粒子などが挙げられる。ポリマー微粒子は比較的粒度分布が狭く、体積平均粒径が０．０１から１μｍのものが好ましい。
【０１１１】
＜カラートナー＞
カラートナーは、結着樹脂、及び着色剤を含有し、更に必要に応じてその他の成分を含有する。その他の成分については、その他の成分と同様のものを使用することができる。
カラートナーとしては、シアントナー、マゼンタトナー、イエロートナーのいずれかであることが好ましく、シアントナー、マゼンタトナー、イエロートナーであることがより好ましい。言い換えれば、トナーセットにおいては、ＩＲトナーのベタ画像の６０度光沢度が、シアントナー、マゼンタトナー、イエロートナーのいずれかのベタ画像の６０度光沢度より１０以上高いことが好ましく、シアントナー、マゼンタトナー、イエロートナー、のすべてのベタ画像の６０度光沢度より１０以上高いことがより好ましい。
【０１１２】
＜＜結着樹脂＞＞
本実施形態のカラートナーにより作像されるトナー像としては、一般的なオフセット印刷などと比較して低グロスであることが好ましい。
このため、カラートナーに含有される結着樹脂としては、特に制限はなく、目的に応じて適宜選択することができるが、ゲルを含むことが好ましい。ゲル分率としては、結着樹脂に対して、０．５質量％以上２０質量％以下が好ましく、１．０質量％以上１０質量％以下がより好ましい。
ゲルを含まない場合でも、カラートナーに用いられる結着樹脂としては、重量平均分子量Ｍｗｃ１００，０００以上の高分子量体を含有していることが好ましく、ＩＲトナーで用いられる結着樹脂の重量平均分子量Ｍｗｉよりも大きいことがより好ましい。カラートナーにおいて用いられる結着樹脂の重量平均分子量Ｍｗｃを、ＩＲトナーにおいて用いられる結着樹脂の重量平均分子量Ｍｗｉよりも大きくすることにより、オフセット印刷と比較して視認性の高い、６０度光沢度で１０から３０程度のカラー画像のグロスを得ることができる。
【０１１３】
＜＜着色剤＞＞
着色剤としては、８００ｎｍ以上の波長の吸収が、小さいものが好ましく、例えば、ナフトールイエローＳ、ハンザイエロー（１０Ｇ、５Ｇ、Ｇ）、カドミウムイエロー、黄色酸化鉄、黄土、黄鉛、チタン黄、ポリアゾイエロー、オイルイエロー、ハンザイエロー（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、イソインドリノンイエロー、ベンガラ、鉛丹、鉛朱、カドミウムレッド、カドミウムマーキュリレッド、アンチモン朱、パーマネントレッド４Ｒ、パラレッド、ファイセーレッド、パラクロルオルトニトロアニリンレッド、リソールファストスカーレットＧ、ブリリアントファストスカーレット、ブリリアントカーンミンＢＳ、パーマネントレッド（Ｆ２Ｒ、Ｆ４Ｒ、ＦＲＬ、ＦＲＬＬ、Ｆ４ＲＨ）、ファストスカーレットＶＤ、ベルカンファストルビンＢ、ブリリアントスカーレットＧ、リソールルビンＧＸ、パーマネントレッドＦ５Ｒ、ブリリアントカーミン６Ｂ、ポグメントスカーレット３Ｂ、ボルドー５Ｂ、トルイジンマルーン、パーマネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロームバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、ジオキサンバイオレット、アントラキノンバイオレット、クロムグリーン、ジンクグリーン、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン、酸化チタン、亜鉛華、リトボン、ペリレンブラック、ペリノンブラック及びこれらの混合物などが挙げられる。これらは、１種単独で使用してもよいし、２種以上を併用してもよい。
【０１１４】
プロセスカラートナーとして用いる場合、シアン、マゼンタ、及びイエローのそれぞれについて、以下の着色剤が好ましい。
シアンでは、Ｃ．Ｉ．ピグメントブルー１５：３が好ましい。マゼンタでは、Ｃ．Ｉ．ピグメントレッド１２２、Ｃ．Ｉ．ピグメントレッド２６９、及びＣ．Ｉ．ピグメントレッド８１：４が好ましい。イエローでは、Ｃ．Ｉ．ピグメントイエロー７４、Ｃ．Ｉ．ピグメントイエロー１５５、Ｃ．Ｉ．ピグメントイエロー１８０、及びＣ．Ｉ．ピグメントイエロー１８５が好ましい。これらの着色剤は、１種単独で使用してもよいし、２種以上を併用してもよい。
【０１１５】
着色剤の８００ｎｍ以上の吸光度としては、０．０５未満が好ましく、０．０１未満がより好ましい。吸光度が、０．０５未満であると、カラートナーがＩＲトナーの上に重ねられたとき、ＩＲトナーで形成される情報の読み取りを阻害するという不具合を防止することができる。
【０１１６】
着色剤の含有量としては、各着色剤の着色力にもよるが、各色のカラートナー全体に対して、３質量％〜１２質量％が好ましく、５質量％〜１０質量％がより好ましい。含有量が、３質量％以上であると、着色力が十分でなく単色トナー付着量が多くなり資源に無駄が生じる不具合を防止することができる。含有量が、１２質量％以下であると、トナーの帯電性に影響が大きくなり安定したトナー帯電量を維持することが困難となる不具合を防止することができる。
【０１１７】
＜ＩＲトナー、及びカラートナーの特性＞
ＩＲトナーのベタ画像の６０度光沢度としては、３０以上であり、３０以上８０以下が好ましく、３０以上６０以下が更に好ましい。ベタ画像の６０度光沢度が、３０未満ではＩＲトナー像の視認性が増すことにより、目的の隠し画像としての体をなさなくなる。８０より大きいと、トナー樹脂の分子量が小さくなり、十分な定着温度範囲が維持できにくくなることがある。
カラートナーのベタ画像の６０度光沢度としては、１０以上４０以下が好ましく、１５以上３５以下がより好ましい。光沢度が数値範囲であると、カラートナー像が比較的低グロスの画像となる。
また、ＩＲトナーのベタ画像の６０度光沢度は、カラートナーのベタ画像の６０度光沢度より１０以上高く、１５以上高いことが好ましく、２０以上高いことが更に好ましい。ＩＲトナーのベタ画像の６０度光沢度と、カラートナーのベタ画像の６０度光沢度との差が、１０未満であると、画像出力媒体上で、画像形成時の加熱定着前にＩＲトナー像の上にカラートナー像を重ねた場合、加熱加圧定着される際に、上層のカラートナーが下層のＩＲトナー層内に入り込み、カラートナー像の視認性が悪化する。即ち、ＩＲトナーのベタ画像の光沢度が、カラートナーのベタ画像の光沢度と比較して高いことにより、上層に重ねられたカラートナー像の視認性が向上し、結果として、下層のＩＲトナー像が視認されにくくなる。
【０１１８】
カラートナーのベタ画像の８００ｎｍ以上の吸光度としては、０．０５未満であることが好ましく、０．０１未満であることがより好ましい。
【０１１９】
ＩＲトナー、及びカラートナーのベタ画像の光沢度を調整する手段としては、例えば、結着樹脂のゲルの割合を調整する、結着樹脂の重量平均分子量を調整することなどが挙げられる。結着樹脂のゲル分率が大きいほど低光沢となり、ゲル分率が０に近づくほど高光沢となる傾向となる。ゲルを含まない結着樹脂を用いた場合、結着樹脂の重量平均分子量が大きいほど低光沢となり、重量平均分子量が小さいほど高光沢となる傾向にある。
更に結着樹脂に酸価のある樹脂を用いると、３価以上の金属塩を添加することにより光沢を調整することも可能である。結着樹脂酸価が大きく、金属塩添加量が多いほど低光沢となる傾向になり、結着樹脂酸価が小さく、金属塩添加量が少ないほど高光沢となる傾向となる。
【０１２０】
ＩＲトナーの重量平均分子量（Ｍｗｉ）としては、６，０００〜１２，０００が好ましく、７，５００〜１０，０００がより好ましい。
重量平均分子量としては、ＴＨＦ溶解分の分子量分布をＧＰＣ（ゲルパーミエーションクロマトグラフィー）測定装置ＧＰＣ−１５０Ｃ（ウォーターズ社製）によって測定できる。
重量平均分子量の測定としては、例えば、カラム（ＫＦ８０１〜８０７：ショウデックス社製）を使用し、以下の方法で行う。
４０℃のヒートチャンバー中でカラムを安定させ、この温度におけるカラムに、溶媒としてＴＨＦを毎分１ｍｌの流速で流す。次いで、試料０．０５ｇをＴＨＦ５ｇに十分に溶かした後、前処理用フィルタ（例えば、孔径０．４５μｍ  クロマトディスク（クラボウ製））で濾過し、最終的に試料濃度として０．０５質量％〜０．６質量％に調製した樹脂のＴＨＦ試料溶液を５０μＬ〜２００μＬ注入して測定する。
【０１２１】
ＩＲトナーのゲル分率は０質量％〜２質量％が好ましい。
ゲル分率は、重量平均分子量の測定の際に用いた、前処理用フィルタにてろ過された成分の乾燥重量より算出することができる。
【０１２２】
ＩＲトナーの重量平均分子量（Ｍｗ）／数平均分子量（Ｍｎ）としては、５以下が好ましく、４以下がより好ましい。
重量平均分子量Ｍｗ、個数平均分子量Ｍｎの測定方法としては、ＩＲトナーの有する分子量分布を数種の単分散ポリスチレン標準試料により作成された検量線の対数値とカウント数との関係から算出する。
検量線作成用の標準ポリスチレン試料としては、例えば、分子量が６×１０２、２．１×１０２、４×１０２、１．７５×１０４、５．１×１０４、１．１×１０５、３．９×１０５、８．６×１０５、２×１０６、４．４８×１０６（ＰｒｅｓｓｕｒｅＣｈｅｍｉｃａｌ  Ｃｏ．社製、又は東洋ソーダ工業社製）などが挙げられる。検量線を作成するにあたり、少なくとも１０点程度の標準ポリスチレン試料を用いるのが適当である。また、検出器にはＲＩ（屈折率）検出器を用いる。
【０１２３】
ＩＲトナーの酸価としては、１２ｍｇＫＯＨ／ｇ以下が好ましく、６ｍｇＫＯＨ／ｇ〜１２ｍｇＫＯＨ／ｇがより好ましい。酸価は、結着樹脂として、ポリエステル樹脂を用いることで数値範囲内にすることができ、低温定着性と、耐ホットオフセット性を両立しやすい。
本実施形態におけるトナー及び結着樹脂の酸価の測定は、ＪＩＳ  Ｋ００７０−１９９２に記載の測定方法に準拠して以下の条件で測定を行った。
試料溶液の調製としては、トナー又は結着樹脂０．５ｇ（酢酸エチル可溶成分では０．３ｇ）をトルエン１２０ｍＬに添加して室温（２３℃）で約１０時間攪拌して溶解した。更に、エタノール３０ｍＬを添加して試料溶液とした。
測定は装置にて計算することが出来るが、具体的には次のように計算した。あらかじめ標定されたＮ／１０苛性カリ〜アルコール溶液で滴定し、アルコールカリ液の消費量から次の計算で酸価を求めた。
酸価＝ＫＯＨ（ｍＬ数）×Ｎ×５６．１／試料質量（ただしＮはＮ／１０ＫＯＨのファクター）
なお、以下に示す実施例及び比較例では、結着樹脂とトナーの酸価がほぼ一致した。したがって、結着樹脂の酸価をトナーの酸価として扱う。
【０１２４】
＜＜トナー粒径＞＞
ＩＲトナーの重量平均粒径としては、５μｍ以上７μｍ以下が好ましく、５μｍ以上６μｍ以下がより好ましい。
カラートナーの重量平均粒径としては、４μｍ以上８μｍ以下が好ましく、５μｍ以上７μｍ以下がより好ましい。
重量平均粒径が範囲内であると、６００ｄｐｉ以上の微少ドットを再現し、高画質な画像を得ることができる。これは、微小な潜像ドットに対して、十分に小さい粒径のトナー粒子を有することができ、ドット再現性に優れるという利点が得られる。
特に、ＩＲトナーにおいては、画像出力媒体上に転写され定着前の状態において、高密度に配置され、その上に重ねられるカラートナーがその隙間に入り込まないようにすることにより、再現性の高い定着後の画像を得ることができる。その再現性の高い画像は赤外光照射により機械読み取り処理にあたり、より安定した処理が可能となる。
カラートナーの重量平均粒径（Ｄ４）が４μｍ以上であると、転写効率の低下、ブレードクリーニング性の低下といった現象を防止することができ、カラートナーの重量平均粒径（Ｄ４）が８μｍ以下であると、上述のように定着前の画像に重なられたカラートナーが入り込むことによる画像情報の乱れが生じやすくなること、文字やラインの飛び散りを抑えることが難しくなるという不具合を抑えることができる。
【０１２５】
また、重量平均粒径（Ｄ４）と個数平均粒径（Ｄ１）との比（Ｄ４／Ｄ１）としては、１．００〜１．４０が好ましく、１．０５〜１．３０がより好ましい。比（Ｄ４／Ｄ１）は、１．００に近いほど粒径分布がシャープであることを示す。
このような小粒径で粒径分布の狭いトナーでは、トナーの帯電量分布が均一になり、地肌かぶりの少ない高品位な画像を得ることができ、また、静電転写方式では転写率を高くすることができる。
異なる色のトナー像を重ね合わせることにより多色像を形成するフルカラー画像形成方法においては、ブラックトナー１色のみで画像形成するため異なる色のトナー像を重ね合わせる必要のないモノクロ画像形成方法に比べて紙上に付着させるトナー量が多い。 
すなわち現像、転写、定着されるトナー量が多くなるために、上述の転写効率の低下、ブレードクリーニング性の低下、文字やラインの飛び散り、地肌かぶりなど画質を悪化させる不具合が起こりやすく、重量平均粒径（Ｄ４）や重量平均粒径（Ｄ４）と個数平均粒径（Ｄ１）との比（Ｄ４／Ｄ１）の管理が重要となる。 
【０１２６】
トナー粒子の粒度分布の測定は、コールターカウンター法によるトナー粒子の粒度分布の測定装置を用いて行うことができる。装置としては、例えば、コールターカウンターＴＡ−ＩＩやコールターマルチサイザーＩＩ（いずれもコールター社製）が挙げられる。
具体的な測定方法は以下のとおりである。
まず、電解水溶液１００ｍＬ〜１５０ｍＬ中に分散剤として界面活性剤（アルキルベンゼンスルホン酸塩など）を０．１ｍＬ〜５ｍＬ加える。電解水溶液とは、１級塩化ナトリウムを用いて約１％ＮａＣｌ水溶液を調製したもので、例えば、ＩＳＯＴＯＮ−ＩＩ（コールター社製）が挙げられる。
次に、測定試料を２ｍｇ〜２０ｍｇ加える。試料を懸濁した電解液は、超音波分散器で約１分間〜３分間分散処理を行ない、測定装置により、アパーチャーとして１００μｍアパーチャーを用いて、トナー粒子又はトナーの重量、個数を測定して、重量分布と個数分布を算出する。得られた分布から、トナーの重量平均粒径（Ｄ４）、個数平均粒径（Ｄ１）を求めることができる。
チャンネルとしては、２．００〜２．５２μｍ未満；２．５２〜３．１７μｍ未満；３．１７〜４．００μｍ未満；４．００〜５．０４μｍ未満；５．０４〜６．３５μｍ未満；６．３５〜８．００μｍ未満；８．００〜１０．０８μｍ未満；１０．０８〜１２．７０μｍ未満；１２．７０〜１６．００μｍ未満；１６．００〜２０．２０μｍ未満；２０．２０〜２５．４０μｍ未満；２５．４０〜３２．００μｍ未満；３２．００〜４０．３０μｍ未満の１３チャンネルを使用し、粒径２．００μｍ以上乃至４０．３０μｍ未満の粒子を対象とする。
【０１２７】
電子写真現像用トナーの正接損失（ｔａｎδ）は、画像の光沢度と明らかな相関があることが知られている。ｔａｎδの値が大きくなるとトナーの定着時の延展性が大きくなり、基材隠蔽性が高くなり、高光沢の画像が得られる。
ＩＲトナーの１００℃〜１４０℃における正接損失（ｔａｎδｉ）としては、２．５以上が好ましく、３．０以上がより好ましい。ｔａｎδｉは、１５以下が好ましい。なお、ＩＲトナーの１００℃〜１４０℃における正接損失（ｔａｎδｉ）が２．５以上であるとは、１００℃〜１４０℃において、ＩＲトナーの正接損失（ｔａｎδｉ）が常に２．５以上の値をとることを意味する。
カラートナーの正接損失（ｔａｎδｃ）としては、２以下が好ましい。ｔａｎδｃは、０．１以上が好ましい。カラートナーの正接損失が２以下であると、ＩＲ画像上に重ねたカラートナーがＩＲトナー画像内に入り込み、ＩＲトナー画像の安定性を損なうという不具合を防止することができる。なお、カラートナーの１００℃〜１４０℃における正接損失（ｔａｎδｃ）が２以下であるとは、１００℃〜１４０℃において、カラートナーの正接損失（ｔａｎδｃ）が常に２以下の値をとることを意味する。
【０１２８】
電子写真現像用トナーの正接損失（ｔａｎδ）は、損失弾性率（Ｇ’’）及び貯蔵弾性率（Ｇ’）の比（Ｇ’’）／（Ｇ’）であり、粘弾性測定により測定することができる。損失弾性率（Ｇ’’）及び貯蔵弾性率（Ｇ’）は、例えば、以下の方法により測定することができる。ＩＲトナー、又はカラートナーを０．８ｇ、φ２０ｍｍのダイスを用いて３０ＭＰａの圧力で成型し、ＡＤＶＡＮＣＥＤ  ＲＨＥＯＭＥＴＲＩＣ  ＥＸＰＡＮＳＩＯＮ  ＳＹＳＴＥＭ（ＴＡ社製）でφ２０ｍｍのパラレルコーンを使用して周波数１．０Ｈｚ、昇温速度２．０℃／分間、歪み０．１％（自動歪み制御：許容最小応力１．０ｇ／ｃｍ、許容最大応力５００ｇ／ｃｍ、最大付加歪み２００％、歪み調整２００％）、ＧＡＰはサンプルセット後ＦＯＲＣＥが０〜１００ｇｍになる範囲で、損失弾性率（Ｇ’'）、貯蔵弾性率（Ｇ'）、正接損失（ｔａｎδ）の測定を行うことができる。
【０１２９】
＜トナーの製造方法＞
本実施形態のトナーセットの製造方法としては、溶融混練−粉砕法、重合法など従来公知の方法が適用できる。また、カラートナーとＩＲトナーの製造法は同じ製造方法を用いても良いし、カラートナーは重合法、ＩＲトナーは溶融混練粉砕法といったように別の製造方法を用いても良い。
【０１３０】
＜＜溶融混練−粉砕法＞＞
溶融混練−粉砕法においては、その製造工程では、（１）少なくとも結着樹脂と着色剤もしくは近赤外光吸収材料、離型剤とを溶融混錬する工程、（２）溶融混錬されたトナー組成物を粉砕／分級する工程、（３）無機微粒子を外添する工程を有する。また、工程（２）の粉砕／分級工程で複製する微紛を、工程（１）の原料としてサイド混練することがコストの面で好ましい。
【０１３１】
混練に使用する混錬機としては、密閉式ニーダー、１軸もしくは２軸の押出機、又はオープンロール型混練機等を用いることができる。混錬機の種類としては、例えば、ＫＲＣニーダー（栗本鉄工所社製）、ブス・コ・ニーダー（Ｂｕｓｓ社製）、ＴＥＭ型押し出し機（東芝機械社製）、ＴＥＸ二軸混練機（日本製鋼所社製）、ＰＣＭ混練機（池貝鉄工所社製）、三本ロールミル、ミキシングロールミル、ニーダー（井上製作所社製）、ニーデックス（三井鉱山社製）、ＭＳ式加圧ニーダー、ニダールーダー（森山製作所社製）、バンバリーミキサー（神戸製鋼所社製）などが挙げられる。
【０１３２】
粉砕機としては、例えば、カウンタージェットミル、ミクロンジェット、イノマイザ（ホソカワミクロン社製）、ＩＤＳ型ミル、ＰＪＭジェット粉砕機（日本ニューマチック工業社製）、クロスジェットミル（栗本鉄工所社製）、ウルマックス（日曹エンジニアリング社製）、ＳＫジェット・オー・ミル（セイシン企業社製）、クリプトロン（川崎重工業社製）、ターボミル（ターボエ業社製）、スーパーローター（日清エンジニアリング社製）などが挙げられる。
分級機としては、例えば、クラッシール、マイクロンクラッシファイアー、スペディッククラシファイアー（セイシン企業社製）、ターボクラッシファイアー（日清エンジニアリング社製）、ミクロンセパレータ、ターボプレックス（ＡＴＰ）、ＴＳＰセパレータ（ホソカワミクロン社製）、エルボージェット（日鉄鉱業社製）、ディスパージョンセパレータ（日本ニューマチックエ業社製）、ＹＭマイクロカット（安川商事社製）が挙げられる。
粗粒などをふるい分けるために用いられる篩い装置としては、例えば、ウルトラソニック（晃栄産業社製）、レゾナシーブ、ジャイロシフター（徳寿工作所社）、バイブラソニックシステム（ダルトン社製）、ソニクリーン（新東工業社製）、ターボスクリーナー（ターボエ業社製）、ミクロシフター（槙野産業社製）、円形振動篩いなどが挙げられる。
【０１３３】
＜＜重合法＞＞
重合法としては、従来公知の方法を用いることができる。重合法としては、例えば、以下のような手順が挙げられる。先ず、着色剤、結着樹脂、離型剤を有機溶媒中に分散させ、トナー材料液（油相）を作る。トナー材料液には、イソシアネート基を有するポリエステルプレポリマー（Ａ）を添加し、造粒中に反応させて、ウレア変性ポリエステル樹脂をトナーに含有させることが好ましい。
【０１３４】
次に、トナー材料液を界面活性剤、樹脂微粒子の存在下、水系媒体中で乳化させる。
水系媒体としては、水系媒体に用いる水系溶媒は、水単独でもよいし、アルコールなどの有機溶媒を含むものであってもよい。
トナー材料液１００質量部に対する水系溶媒の使用量は、通常５０質量部〜２，０００質量部が好ましく、１００質量部〜１，０００質量部がより好ましい。
樹脂微粒子としては、水性分散体を形成しうる樹脂であれば、特に制限はなく、目的に応じて適宜選択することができ、例えば、ビニル系樹脂、ポリウレタン樹脂、エポキシ樹脂、ポリエステル樹脂などが挙げられる。
【０１３５】
分散後、乳化分散体（反応物）から有機溶媒を除去し、洗浄、乾燥してトナー母体粒子を得る。
【０１３６】
ＩＲトナー、及びカラートナーは、一成分現像剤としても、二成分現像剤として用いることができる。
本実施形態のトナーを二成分系現像剤に用いる場合には、磁性キャリアと混合して用いればよく、現像剤中のキャリアとトナーの含有比は、キャリア１００質量部に対して、トナー１質量部〜１０質量部が好ましい。
磁性キャリアとしては、従来から公知のものを使用することができ、例えば、粒子径２０μｍ〜２００μｍ程度の鉄粉、フェライト粉、マグネタイト粉、磁性樹脂キャリアなどが挙げられる。
磁性キャリアは、被覆されたものも使用することができる。磁性キャリアを被覆するための被覆材料としては、例えば、尿素−ホルムアルデヒド樹脂、メラミン樹脂、ベンゾグアナミン樹脂、ユリア樹脂、ポリアミド樹脂、エポキシ樹脂等のアミノ系樹脂；ポリビニル等のポリビニリデン系樹脂；アクリル樹脂、ポリメチルメタクリレート樹脂、ポリアクリロニトリル樹脂、ポリ酢酸ビニル樹脂、ポリビニルアルコール樹脂、ポリビニルブチラール樹脂、ポリスチレン樹脂、スチレンアクリル共重合樹脂等のポリスチレン系樹脂；ポリ塩化ビニル等のハロゲン化オレフィン樹脂；ポリエチレンテレフタレート樹脂、ポリブチレンテレフタレート樹脂等のポリエステル系樹脂；ポリカーボネート系樹脂、ポリエチレン樹脂、ポリ弗化ビニル樹脂、ポリ弗化ビニリデン樹脂、ポリトリフルオロエチレン樹脂、ポリヘキサフルオロプロピレン樹脂、弗化ビニリデンとアクリル単量体との共重合体、弗化ビニリデンと弗化ビニルとの共重合体、テトラフルオロエチレンと弗化ビニリデンと非弗化単量体とのターポリマー等のフルオロターポリマー、シリコーン樹脂などが挙げられる。
更に必要に応じて、導電粉等を被覆樹脂中に含有させてもよい。導電粉としては、金属粉、カーボンブラック、酸化チタン、酸化錫、酸化亜鉛等が使用できる。これらの導電粉は、平均粒子径１μｍ以下のものが好ましい。平均粒子径が１μｍ以下であると、電気抵抗の制御が困難になるという不具合を防止することができる。
【０１３７】
（画像形成装置及び画像形成方法）
本実施形態の画像形成装置は、静電潜像担持体と、静電潜像担持体上に静電潜像を形成する静電潜像形成手段と、静電潜像を現像してトナー像を形成する、ＩＲトナー像を形成するためのＩＲトナー及びカラートナー像を形成するためのカラートナーを備える現像手段と、トナー像を記録媒体に転写する転写手段と、記録媒体に転写された転写像を定着する定着手段とを有し、更に必要に応じて適宜選択したその他の手段を有する。
本実施形態の画像形成方法は、静電潜像担持体上に静電潜像を形成する静電潜像形成工程と、静電潜像を現像してトナー像を形成する現像工程と、トナー像を記録媒体に転写する転写工程と、記録媒体に転写された転写像を定着する定着工程とを含み、更に必要に応じて適宜選択したその他の工程を有する。
本実施形態の画像形成方法は、本実施形態の画像記録装置により好適に実施することができる。
【０１３８】
画像形成方法、及び画像形成装置において、ＩＲトナー像がベタ画像である場合のベタ画像の６０度光沢度は、３０以上であり、３０以上８０以下が好ましく、３０以上６０以下が更に好ましい。
画像形成方法、及び画像形成装置の一例において、ＩＲトナー像がベタ画像である場合のベタ画像の６０度光沢度は、カラートナー像がベタ画像である場合のベタ画像の６０度光沢度より１０以上高く、１５以上高いことが好ましく、２０以上高いことが更に好ましい。
画像形成方法、及び画像形成装置の他の一例において、ＩＲトナーの１００℃〜１４０℃における正接損失（ｔａｎδｉ）は、２．５以上が好ましく、３．０以上がより好ましい。また、画像形成方法、及び画像形成装置において、カラートナーの正接損失（ｔａｎδｃ）としては、２以下が好ましい。
【０１３９】
記録媒体上において、ＩＲトナー像が、カラートナー像よりも記録媒体側に形成されていることが好ましい。ＩＲトナー像を、カラートナー像よりも記録媒体側に形成する方法としては、例えば、ＩＲトナー像を記録媒体に形成した後、カラートナー像を形成する方法が挙げられる。
カラートナー像の形成に用いるカラートナーの数としては、特に制限はなく、目的に応じて適宜選択することができる。カラートナーを複数使用する場合は、複数のカラートナーを同時に形成する方法、単色トナーを繰り返し形成させて各色を重ねる方法のいずれも行うことができるが、単色トナーを繰り返し形成させて各色を重ねる方法が好ましい。なお、カラートナー像において、各色を形成させる順序としては特に制限はない。
【０１４０】
ＩＲトナー像における、ＩＲトナーの付着量としては、０．３０ｍｇ／ｃｍ２以上０．４５ｍｇ／ｃｍ２以下が好ましく、０．３５ｍｇ／ｃｍ２以上０．４０ｍｇ／ｃｍ２以下がより好ましい。ＩＲトナーの付着量が、０．３０ｍｇ／ｃｍ２以上であると画像の基材隠蔽率が十分となり安定した画像が得られる。
また、近赤外光吸収材料は、可視光領域に若干の吸収があり、完全に無色ではないため、近赤外光吸収材料のトナーへの添加量が増えれば、視認性が増してしまう。その為に、画像のＩＲトナー付着量を、０．４５ｍｇ／ｃｍ２以下とすることにより、視認性の低減が可能となる。
【０１４１】
ＩＲトナー像に重ねるカラートナー像の単位面積当たりにおけるトナー付着量は、３０％以上８０％以下が好ましい。カラートナー像の単位面積当たりにおけるトナー付着量がこの数値範囲内であると、カラートナー像の下にあるＩＲトナー像の視認性を十分に低下させることができる点で好ましい。
この理由としては、以下のことが考えられる。本実施形態のＩＲトナーは、可視光領域に若干の吸収があり、単色での画像は完全な透明ではない。よって、ＩＲの画像情報を不可視にする（目視しにくくする）ためには、カラートナーでマスクするのが好ましい。カラートナー像の単位面積当たりにおけるトナー付着量が３０％以上であれば、ＩＲトナー像が視認されやすくなるという不具合を防止するのに有効である。カラートナー像の単位面積当たりにおけるトナー付着量が３０％未満であると、特にイエロートナーを重ねた場合のＩＲトナー像の視認性が上がってしまう。
【０１４２】
ＩＲトナー像上のカラートナー像の単位面積当たりにおけるトナー付着量を３０％以上８０％以下とする画像形成方法は、特に二次元コード画像を重ねて画像形成する際に有効である。互いに情報の異なるＩＲトナーによる二次元コード画像とカラートナーによる二次元コード画像とを重ねて画像形成することにより、異なる光波長の読み取り装置（それぞれ８６０ｎｍ、５３２ｎｍ）を用いれば、同じ画像面積内で、カラートナーによる二次元コード画像のみの場合よりも多くの情報を埋め込むことができる。
記録媒体上において、ＩＲトナー像である二次元コード画像（ｉ）が、カラートナー像である二次元コード画像（ｃ）よりも記録媒体側に形成されていることが好ましい。この際に、カラートナー像がベタ画像である場合のベタ画像の８００ｎｍ以上９００ｎｍ以下の吸光度は、０．０５未満であることが好ましく、０．０１未満であることがより好ましい。
また、二次元コード画像（ｉ）が有する情報と、二次元コード画像（ｃ）が有する情報とが異なることが好ましい。
【０１４３】
ＩＲトナーの二次元コード画像と、カラートナーの二次元コード画像とを重ねる場合、カラートナーの二次元コード画像をダミーのコードとする形態も可能である。このような形態では、ＩＲトナーの二次元コード画像は、視認されることなく、赤外光の二次元コードの読み取り機のみで情報を読み取れ、カラートナーの二次元コード画像は、視認されるが、赤外光の二次元コードの読み取り機では情報を読み取ることができない。
【実施例】
【０１４４】
以下、本実施形態に用いられるトナーの実施例を説明するが、本実施形態で使用可能なトナーは、これらの実施例に何ら限定されるものではない。なお、「部」は、特に断りのない限り「質量部」を表す。
【０１４５】
＜ＩＲトナー１の製造＞
・ポリエステル樹脂１(ＲＮ−３０６ＳＦ、花王株式会社製、重量平均分子量Ｍｗ７，７００、酸価４ｍｇＫＯＨ／ｇ)  ８０部
・ポリエステル樹脂２(ＲＮ−３００ＳＦ、花王株式会社製、重量平均分子量Ｍｗ１１，０００、酸価４ｍｇＫＯＨ／ｇ)  １０部
・ワックス分散剤（ＥＸＤ−００１、三洋化成株式会社製）  ４部
・モノエステルワックス１（融点ｍｐ７０．５℃）  ６部
・サリチル酸誘導体ジルコニウム塩Ａ  ０．９部
・バナジルナフタロシアニン  ０．３部
なお、近赤外線吸収材料として用いたバナジルナフタロシアニンは以下の構造式（１）、サリチル酸誘導体ジルコニウム塩Ａは以下の構造式（２）の化合物を用いた。
【０１４６】
【化２】
2019117371.tif 000004
【０１４７】
【化３】
2019117371.tif 000005
【０１４８】
構造式（２）中のＬ１は、次の構造を示す。
【化４】
2019117371.tif 000006
【０１４９】
組成のトナー原材料を、へンシェルミキサー（日本コークス工業株式会社製、ＦＭ２０Ｂ）を用いて予備混合した後、一軸混練機（Ｂｕｓｓ製、コニーダ混練機）で１００〜１３０度の温度で溶融、混練した。
得られた混練物は室温まで冷却後、ロートプレックスにて２００μｍ〜３００μｍに粗粉砕した。
粗粉砕した粒子を、カウンタジェットミル（ホソカワミクロン株式会社製、１００ＡＦＧ）を用いて、重量平均粒径が４．５±０．３μｍとなるように粉砕エアー圧を適宜調整しながら微粉砕した後、気流分級機（株式会社マツボー製、ＥＪ−ＬＡＢＯ）で、重量平均粒径が５．２±０．２μｍ、重量平均粒径／個数平均粒径の比が１．２０以下となるようにルーバー開度を適宜調整しながら分級し、トナー母体粒子１を得た。
次いで、１００部のトナー母体粒子１に対し、添加剤としてヒュームドシリカ（ＺＤ−３０ＳＴ、株式会社トクヤマ製）１．３部、ヒュームドシリカ（ＵＦＰ−３５ＨＨ、電気化学株式会社製）１．５部、及び二酸化チタン（ＭＴ−１５０ＡＦＭ、テイカ株式会社製）１．０部をヘンシェルミキサーで撹拌混合し、ＩＲトナー１を製造した。
【０１５０】
＜ＩＲトナー２の製造＞
ＩＲトナー１において、バナジルナフタロシアニンを０．６部に変えた以外は、ＩＲトナー１と同様にして、ＩＲトナー２を製造した。
【０１５１】
＜ＩＲトナー３の製造＞
ＩＲトナー１において、バナジルナフタロシアニンを１．０部に変えた以外は、ＩＲトナー１と同様にして、ＩＲトナー３を製造した。
【０１５２】
＜ＩＲトナー４の製造＞
ＩＲトナー２において、ポリエステル樹脂２をポリエステル樹脂３(花王株式会社製ＲＮ−２９０ＳＦ、Ｍｗ８７，０００、酸価２８ｍｇＫＯＨ／ｇ)に変えた以外は、ＩＲトナー２と同様にして、ＩＲトナー４を製造した。
なお、ポリエステル樹脂３は、ビスフェノールＡ−ポリエチレンオキサイド付加アルコール、ビスフェノールＡ−エチレンオキサイド付加アルコール、フマル酸、及び無水トリメリット酸から合成した樹脂である。
【０１５３】
＜ＩＲトナー５の製造＞
ＩＲトナー４において、ポリエステル樹脂１を７０部とし、ポリエステル樹脂３を２０部に変えた以外は、ＩＲトナー４と同様にして、ＩＲトナー５を製造した。
【０１５４】
＜ＩＲトナー６の製造＞
ＩＲトナー４のバナジルナフタロシアニンを０．３部とし、粉砕／分級工程にてトナー母体粒子を重量平均粒径が６．８±０．２μｍとした。
次いで、トナー母体粒子１００部に対して、ヒュームドシリカ（ＺＤ−３０ＳＴ、株式会社トクヤマ製）０．８部、ヒュームドシリカ（ＵＦＰ−３５ＨＨ、電気化学株式会社製）１．０部、二酸化チタン（ＭＴ−１５０ＡＦＭ、テイカ株式会社製）０．６部をヘンシェルミキサーで撹拌混合し、ＩＲトナー６を製造した。
【０１５５】
＜ＩＲトナー７の製造＞
ＩＲトナー６において、バナジルナフタロシアニンを０．６部に変えた以外は、ＩＲトナー６と同様にして、ＩＲトナー７を製造した。
【０１５６】
＜ＩＲトナー８の製造＞
ＩＲトナー５において、サリチル酸誘導体ジルコニウム塩Ａを１．５部に変えた以外は、ＩＲトナー５と同様にして、ＩＲトナー８を製造した。
【０１５７】
＜ＩＲトナー９の製造＞
ＩＲトナー４の粉砕／分級工程において、重量平均粒径が８．０±０．２μｍとした。
次いで、トナー母体粒子１００部に対し、ヒュームドシリカ（ＺＤ−３０ＳＴ、株式会社トクヤマ製）０．６部、ヒュームドシリカ（ＵＦＰ−３５ＨＨ、電気化学株式会社製）０．８部、二酸化チタン（ＭＴ−１５０ＡＦＭ、テイカ株式会社製）０．５部をヘンシェルミキサーで撹拌混合し、ＩＲトナー９を製造した。
【０１５８】
＜ＩＲトナー１０の製造＞
ＩＲトナー１において、バナジルナフタロシアニンを０．２部に変えた以外は、ＩＲトナー１と同様にして、ＩＲトナー１０を製造した。
【０１５９】
＜ＩＲトナー１１の製造＞
ＩＲトナー４において、バナジルナフタロシアニンを１．２部に変えた以外は、ＩＲトナー４と同様にして、ＩＲトナー１１を製造した。
【０１６０】
＜ＩＲトナー１２の製造＞
ＩＲトナー４において、ポリエステル樹脂１を６０部、ポリエステル樹脂３を３０部に変えた以外は、ＩＲトナー４と同様にして、ＩＲトナー１２を製造した。
【０１６１】
＜ＩＲトナー１３の製造＞
ＩＲトナー６において、「バナジルナフタロシアニン  ０．３部」を「近赤外線吸収色素１（ＯＰＴＬＩＯＮ  ＮＩＲ−７６１  トーヨーカラー株式会社製）１．０部」に変えた以外は、ＩＲトナー６と同様にして、ＩＲトナー１３を製造した。
【０１６２】
＜ＩＲトナー１４の製造＞
ＩＲトナー６において、「バナジルナフタロシアニン  ０．３部」を「近赤外線吸収色素１（ＯＰＴＬＩＯＮ  ＮＩＲ−７６１  トーヨーカラー株式会社製）２．０部」に変えた以外は、ＩＲトナー６と同様にして、ＩＲトナー１４を製造した。
【０１６３】
＜二成分現像剤の製造＞
＜＜キャリアの作製＞＞
・シリコーン樹脂（オルガノストレートシリコ−ン）  １００部
・トルエン  １００部
・γ−（２−アミノエチル）アミノプロピルトリメトキシシラン  ５部
・カーボンブラック  １０部
混合物をホモミキサーで２０分間分散し、コート層形成液を調製した。コート層形成液を、芯材として重量平均粒径が３５μｍのＭｎフェライト粒子を用いて、芯材表面において平均膜厚が０．２０μｍになるように、流動床型コーティング装置を使用して、流動槽内の温度を各７０℃に制御して塗布・乾燥した。得られたキャリアを電気炉中にて、１８０℃／２時間焼成し、キャリアを得た。
【０１６４】
＜＜現像剤（二成分現像剤）の作製＞＞
作製した各ＩＲトナー１〜１４、及び各ペリレンブラックトナー１、２と、キャリアとをターブラーミキサー（ウィリー・エ・バッコーフェン（ＷＡＢ）社製）を用いて４８ｒｐｍで５分間均一混合し、帯電させ、それぞれ現像剤１〜１４、ペリレンブラック現像剤１、２を作製した。
トナーとキャリアの混合比率は、評価機の初期現像剤のトナー濃度：５質量％に合わせて混合した。
【０１６５】
（実施例１〜１２、比較例１〜２）
ブラック現像剤、イエロー現像剤、マゼンタ現像剤、及びシアン現像剤の４色を有するデジタルフルカラー複合機（Ｉｍａｇｉｏ  Ｎｅｏ  Ｃ６００、株式会社リコー製、以下「ｎｅｏ  Ｃ６００」と略記する。）において、ブラック現像剤を、各二成分現像剤１〜１４と入れ替え、ＩＲトナーとカラートナーとを含むトナーセットを備えた装置とした。
イエロー現像剤、マゼンタ現像剤、及びシアン現像剤に含まれるカラートナー（イエロー、マゼンタ、及びシアン）の８００ｎｍ以上の波長における吸光度は０．０１未満だった。
【０１６６】
＜吸光度の測定＞
ＯＨＰフィルム（タイプ  ＰＰＣ−ＦＣ、株式会社リコー製）上に、ｎｅｏ  Ｃ６００によりトナー付着量０．５ｍｇ／ｃｍ２となるようなベタパッチを出力した。ベタパッチを分光光度計（Ｖ−６６０ＤＳ、日本分光株式会社製）にて、画像を出力していないＯＨＰフィルムをブランクとし、８００ｎｍから９００ｎｍの分光透過率Ｔを測定した。得られた分光透過率Ｔより、以下の式（１）に従い吸光度Ａを算出した。
Ａ  ＝  −ｌｏｇＴ  ・・・（１）
【０１６７】
（付着量評価、光沢度評価）
用紙は株式会社リコーＰＰＣ用紙ＴＹＰＥ６０００（７０Ｗ）用い、先ずカラートナー各色の５ｃｍ×５ｃｍのベタパッチを出力した。そのときのカラートナーの付着量と光沢度（６０度光沢度）を、後述の表２に示す。
【０１６８】
＜付着量評価＞
ｎｅｏ  Ｃ６００の定着ユニットを外し、未定着の５ｃｍ×５ｃｍのベタパッチを出力した。そのベタパッチ部分をはさみで切り出し、切り出し片を作成した。作成した切り出し片を、精密天秤で質量を測定し、ベタパッチ部分（未定着画像）のトナーをエアガンで吹き飛ばし、切り出し片の質量を測定した。エアガンでトナーを吹き飛ばす前後の質量の値から、以下の式を用いてトナー付着量を算出した。結果を後述の表１に示す。
トナー付着量（ｍｇ／ｃｍ２）＝（（ベタパッチの付いた切り出し片重量）−（吹き飛ばした後の切り出し片の重量））／２５
【０１６９】
＜光沢度評価＞
ｎｅｏ  Ｃ６００で出力した定着済みの５ｃｍ×５ｃｍのベタパッチを、グロスメーター（ＶＧＳ−１Ｄ、日本電色工業株式会社製）を用いて４箇所測定した。４箇所の評価結果の平均値を算出し、光沢度とした。結果を後述の表１に示す。
【０１７０】
（視認性評価、読み取り性評価）
視認性評価、及び読み取り性評価については、以下のようにして行った。
表３に示す装置及び用紙を用い、ＩＲトナーによりＱＲコード（登録商標）を印刷し、その上に図１０に示すパターンを印刷して、図１１に示すようなパターンによって隠されたＱＲコード（登録商標）の画像を作成した。
また、図１２に示す画像は、全体が着色している部分にＩＲトナーによりＱＲコード（登録商標）を印刷した画像部分（図１２中のＡの領域）と、カラートナーで印刷したＱＲコード（登録商標）の下にカラートナーで印刷したＱＲコード（登録商標）とは異なる情報のＱＲコード（登録商標）をＩＲトナーにより印刷した画像部分（図１２中のＢの領域）とを含むものである。
図１１及び図１２の印刷物から、ＩＲトナー像の視認性及びＩＲトナーで出力した画像中のＱＲコード（登録商標）の読み取り性を評価した。その結果を表３に示す。なお、図１１では、本来不可視であるＩＲトナー像を可視化して表示している。
【０１７１】
＜視認性評価＞
無作為に抽出された２０名のモニターにより、図１２の印刷物においてＩＲ画像からなるＱＲコード（登録商標）を視認できた人が２人以下の場合を○、３人以上５人以下だった場合を△、６人以上の場合を×とした。
【０１７２】
＜読み取り性評価＞
図１１及び図１２の印刷物を１０枚ずつ出力し、その出力画像中に作像された全てのＩＲ画像からなるＱＲコード（登録商標）を２次元バーコードリーダー（型番：ＣＭ−２Ｄ２００Ｋ２Ｂ、エイボック社製に８７０ｎｍバンドパスフィルター（セラテックジャパン社製８７０ｎｍＢＰＦ）をつけた改造品）にて読み取り、全てのＱＲコード（登録商標）を一度のスキャンで読み取り可能だった場合を○、全てのＱＲコード（登録商標）を読み取るが複数回スキャンしたＱＲコード（登録商標）があった場合を△、ひとつでも読み取れなかった場合を×とした。
【０１７３】
（実施例１３）
イエロートナー、マゼンタトナー、シアントナー、ブラックトナー、の４色を有するプリンタ（株式会社リコー製）を用いた。プリンタのブラックトナーを、ＩＲトナー２と入れ替え、ＩＲトナーとカラートナーを含むトナーセットとした。
カラートナー（イエロー、マゼンタ、及びシアン）の８００ｎｍ以上の波長における吸光度は０．０１未満だった。
用紙としては、ＣＯＴＥＤ  ｇｌｏｓｓｙ紙（１３５ｇ／ｍ２、ｍｏｎｄｉ社製）を用いた。用紙に、カラートナーの各色を用いて５ｃｍ×５ｃｍのベタパッチを出力し、カラートナー各色の付着量と光沢度を、前述の方法と同様に測定した。測定結果を表４に示す。
次に、図１１及び図１２の印刷物を出力し、ＩＲトナー像の視認性及び読み取り性を同様にして評価した。その結果を表４に示す。  
【０１７４】
（比較例３）
実施例１３において、使用するＩＲトナーをＩＲトナー１２に入れ替え、ＩＲトナーとカラートナーを含むトナーセットとした以外は、実施例１３と同様にして評価した。評価結果を表４に示す。
【０１７５】
（実施例１４）
実施例１３において、使用するＩＲトナーをＩＲトナー１３に入れ替え、ＩＲトナーとカラートナーを含むトナーセットとした以外は、実施例１３と同様にして評価した。評価結果を表４に示す。
【０１７６】
【表１】
2019117371.tif 000007
【０１７７】
【表２】
2019117371.tif 000008
【０１７８】
【表３】
2019117371.tif 000009
【０１７９】
【表４】
2019117371.tif 000010
【０１８０】
なお、表１〜表４において、「※装置、用紙１」及び「※装置、用紙２」は下記の装置及び用紙を指す。
装置、用紙１は、装置がリコー製４色カラータンデム機であり、用紙がリコーＰＰＣ用紙ＴＹＰＥ６０００（７０Ｗ）である。
装置、用紙２は、装置がリコー製４色カラータンデム機であり、用紙がＣＯＴＥＤ  ｇｌｏｓｓｙ紙である。
【０１８１】
また、表３、表４における「判定」は、視認性、及び読み取り精度の両方が「○」であった場合は「○」、どちらか一方に「△」の評価結果があった場合「△」、どちらか一方に「×」があった場合は「×」と評価した。判定が「○」であると、視認性及び読み取り精度が良好であることを示し、「△」であると、視認性及び読み取り精度が不十分であるが、使用上問題がないことを示し、「×」であると、視認性及び読み取り精度が不十分であり、使用上問題があることを示す。
【０１８２】
以上のように本実施形態のトナーセット及び現像剤、画像形成方法は、電子写真法の特長を生かした比較的低グロスの画像において、画像出力媒体表面に、ＩＲ画像と共に設けられた可視画像を目視した際に、該可視画像の画質を損なうことなく、また、情報が高密度に記録できるＩＲ画像と、画像出力媒体表面の可視画像が設けられた領域に関係なく、任意の領域に設けることができるＩＲ画像を得ることができるトナーセット、画像形成方法、及び画像形成装置を提供することができる。
【０１８３】
以上に説明したものは一例であり、次の態様毎に特有の効果を奏する。
［第１態様］
第１態様は、イエロー、マゼンタ、シアンのうち少なくとも１つのカラートナーからなるカラートナー像と特殊トナー（例えばＩＲトナー）からなる特殊トナー像（例えばＩＲトナー像）とを同じ記録媒体（例えば用紙Ｐ）上に作像し、該カラートナー像及び該特殊トナー像を定着手段（例えば定着装置２１）により該記録媒体に定着させて画像を形成する画像形成装置（例えばプリンタ）において、前記カラートナー像及び前記特殊トナー像を作像する特殊画像形成動作の場合、前記特殊トナー像を作像せずに同じカラートナー像を作像する通常画像形成動作時よりも、前記記録媒体上の単位面積当たりのカラートナー量を少なくするトナー量抑制制御を行う制御手段（例えば制御部３０）を有することを特徴とするものである。
第１態様においては、前記トナー量抑制制御により、カラートナー及び特殊トナーを用いる特殊画像形成動作でカラートナー像を作像する場合、特殊トナーを用いない通常画像形成動作で同じカラートナー像を形成する場合よりも、単位面積当たりのカラートナー量が少なくなる。これにより、特殊画像形成動作の際に、カラートナー及び特殊トナーの両方が付着するトナー像部分における単位面積当たりのトナー総量を少なく抑えることができ、定着不良を抑制しつつ１回の定着処理で画像形成を完了することが可能となる。よって、特殊トナー及びカラートナーを用いて画像形成する場合に要する時間を短くすることが可能である。
【０１８４】
［第２態様］
第２態様は、第１態様において、前記制御手段は、前記特殊画像形成動作の場合、前記カラートナー像及び前記特殊トナー像からなるトナー像に、単位面積当たりのトナー総量が１回の定着処理で定着可能な定着上限値（例えば第二規定値）を超える定着不能部分が含まれると判断した場合には、該定着不能部分の前記トナー総量が前記定着上限値以下となるように入力画像情報に対して画像処理（例えばトナー総量規制処理）を行うことにより、前記トナー量抑制制御を行うことを特徴とするものである。
第２態様においては、特殊画像形成動作の際、単位面積当たりのトナー総量が１回の定着処理で定着可能な定着上限値を超える定着不能部分を、定着上限値以下にして画像形成できる。したがって、定着不良を抑制しつつ１回の定着処理で画像形成を完了することができる。
【０１８５】
［第３態様］
第３態様は、第２態様において、前記画像処理では、前記定着不能部分については、前記トナー総量が前記定着上限値以下となるように前記通常画像形成動作時よりも前記カラートナー量を少なくし、前記定着不能部分以外の部分については前記カラートナー量を前記通常画像形成動作時と同じままにすることを特徴とするものである。
第３態様においては、定着不能部分以外の部分についてはカラートナー量が通常画像形成動作時と同じままであり、定着不能部分以外の部分についての画質変化を抑制できる。
【０１８６】
［第４態様］
第４態様は、第１乃至第３態様のいずれかにおいて、入力画像情報の色情報を当該画像形成装置用の色情報へ変換するための色変換データとして、前記通常画像形成動作時に使用する通常色変換データ（例えば色変換分解テーブル）と前記トナー量抑制制御を行うときに使用する特別色変換データ（例えば色変換分解テーブル及びトナー付着量変換テーブル）とを記憶する記憶手段（例えば記憶部３２）を有し、前記制御手段は、前記通常画像形成動作時には、前記通常色変換データを用いて色変換した入力画像情報から画像を形成し、前記トナー量抑制制御を行うときには、前記特別色変換データを用いて色変換した入力画像情報から画像を形成することを特徴とするものである。
第４態様においては、トナー量抑制制御を比較的簡易に実施することができる。
【０１８７】
［第５態様］
第５態様は、第１乃至第４態様のいずれかにおいて、前記制御手段は、前記特殊画像形成動作の場合、前記通常画像形成動作時よりも、前記定着手段の定着能力が高まるように、若しくは、前記定着手段による定着処理時間が長くなるように、又は、その両方となるようにする定着条件変更制御を行うことを特徴とするものである。
第５態様においては、定着条件変更制御により、単位面積当たりのトナー総量が１回の定着処理で定着可能な定着上限値を上げることができる。これにより、トナー量抑制制御により単位面積当たりのカラートナー量を少なくする幅を小さく抑えることができ、画質変化を抑制することができる。
【０１８８】
［第６態様］
第６態様は、第５態様において、前記制御手段は、前記特殊画像形成動作の場合、前記カラートナー像及び前記特殊トナー像からなるトナー像に、単位面積当たりのトナー総量が前記通常画像形成動作時におけるカラートナー量の上限値（例えば第一規定値）を超えるトナー過剰部分が含まれると判断した場合には、前記定着条件変更制御を行い、前記トナー過剰部分が含まれないと判断した場合には、前記定着条件変更制御を行わないことを特徴とするものである。
第６態様においては、単位面積当たりのトナー総量が通常画像形成動作時におけるカラートナー量の上限値を超えるトナー過剰部分が含まれないと判断した場合には、定着条件変更制御を行わないので、定着条件の変更による弊害を抑制できる。
【０１８９】
［第７態様］
第７態様は、イエロー、マゼンタ、シアンのうち少なくとも１つのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成装置において、前記カラートナー像及び前記特殊トナー像を作像する特殊画像形成動作の場合、前記特殊トナー像を作像せずに同じカラートナー像を作像する通常画像形成動作時よりも、前記定着手段の定着能力が高まるように、若しくは、前記定着手段による定着処理時間が長くなるように、又は、その両方となるようにする定着条件変更制御を行う制御手段を有することを特徴とするものである。
第７態様においては、前記定着条件変更制御により、カラートナー及び特殊トナーを用いる特殊画像形成動作でカラートナー像を作像する場合、特殊トナーを用いない通常画像形成動作で同じカラートナー像を形成する場合よりも、定着能力が高まり、若しくは、定着処理時間が長くなり、又は、その両方が実現される。これにより、通常画像形成動作時の定着条件では１回の定着処理で定着できないほど単位面積当たりのトナー総量が多いトナー像部分が存在する場合でも、定着不良を抑制しつつ１回の定着処理で画像形成を完了することが可能となる。よって、特殊トナー及びカラートナーを用いて画像形成する場合に要する時間を短くすることが可能である。
【０１９０】
［第８態様］
第８態様は、第７態様において、前記制御手段は、前記特殊画像形成動作の場合、前記カラートナー像及び前記特殊トナー像からなるトナー像に、単位面積当たりのトナー総量が前記通常画像形成動作時におけるカラートナー量の上限値を超えるトナー過剰部分が含まれると判断した場合には、前記定着条件変更制御を行い、前記トナー過剰部分が含まれないと判断した場合には、前記定着条件変更制御を行わないことを特徴とするものである。
第８態様においては、単位面積当たりのトナー総量が通常画像形成動作時におけるカラートナー量の上限値を超えるトナー過剰部分が含まれないと判断した場合には、定着条件変更制御を行わないので、定着条件の変更による弊害を抑制できる。
【０１９１】
［第９態様］
第９態様は、第１乃至第８態様のいずれかにおいて、前記特殊トナーは、記録媒体上で視認困難な視認困難画像を形成する特色トナーであることを特徴とするものである。
第９態様においては、視認困難な視認困難画像を形成する場合に要する時間を短くすることが可能である。
【０１９２】
［第１０態様］
第１０態様は、第１乃至第９態様のいずれかにおいて、前記特殊トナーは、透明性を有する赤外光吸収トナー（例えばＩＲトナー）であることを特徴とするものである。
第１０態様においては、赤外光吸収トナーを用いた視認困難画像を形成する場合に要する時間を短くすることが可能である。
【０１９３】
［第１１態様］
第１１態様は、第１０態様において、前記カラートナーは、結着樹脂及び着色剤を含み、前記赤外光吸収トナーは、結着樹脂及び近赤外光吸収材料を含み、ベタ画像の６０度光沢度が３０以上であって、かつ、ベタ画像の６０度光沢度が前記カラートナーのベタ画像の６０度光沢度よりも１０以上高いことを特徴とするものである。
第１１態様においては、赤外光吸収トナーによる視認困難画像の視認性が増すことを抑制できる。
【０１９４】
［第１２態様］
第１２態様は、第１０又は第１１態様において、前記赤外光吸収トナーは、結着樹脂及び近赤外光吸収材料を含み、かつ、１００℃以上１４０℃以下の範囲内における正接損失（ｔａｎδｉ）が２．５以上であり、前記カラートナーは、結着樹脂及び着色剤を含み、かつ、１００℃以上１４０℃以下の範囲内における正接損失（ｔａｎδｃ）が２以下であることを特徴とするものである。
第１２態様においては、赤外光吸収トナーによる視認困難画像の読み取り精度を安定して確保することができる。
【０１９５】
［第１３態様］
第１３態様は、第１０乃至第１２態様のいずれかにおいて、前記赤外光吸収トナーは、重量平均粒径が５μｍ以上７μｍ以下であることを特徴とするものである。
第１３態様においては、赤外光吸収トナーによる高画質な画像を得ることができる。
【０１９６】
［第１４態様］
第１４態様は、第１０乃至第１３態様のいずれかにおいて、前記カラートナーは、ベタ画像の８００ｎｍ以上の吸光度が０．０５未満となるものであることを特徴とするものである。
第１４態様においては、赤外光吸収トナーによる視認困難画像の読み取り精度を安定して確保することができる。
【０１９７】
［第１５態様］
第１５態様は、第１０乃至第１４態様のいずれかにおいて、前記赤外光吸収トナーからなる特殊トナー像が前記記録媒体上で前記カラートナー像よりも前記記録媒体側に形成されることを特徴とするものである。
第１５態様においては、赤外光吸収トナーによる視認困難画像の視認性が増すことを抑制できる。
【０１９８】
［第１６態様］
第１６態様は、第１５態様において、前記特殊画像形成動作により、互いに異なる情報を示す前記特殊トナー像からなる二次元コード画像（ｉ）と前記カラートナー像のベタ画像からなる二次元コード画像（ｃ）とを重ねて形成するとき、前記カラートナー像のベタ画像の８００ｎｍ以上９００ｎｍ以下の吸光度が０．０５未満であることを特徴とするものである。
第１６態様においては、特殊トナー像からなる二次元コード画像（ｉ）の読み取り精度を安定して確保することができる。
【０１９９】
［第１７態様］
第１７態様は、第１乃至第１６態様のいずれかにおいて、前記制御手段は、前記特殊画像形成動作の場合、前記特殊トナー像における単位面積当たりの特殊トナー量が０．３０ｍｇ／ｃｍ２以上０．４５ｍｇ／ｃｍ２以下となるように、かつ、前記特殊トナー像における単位面積当たりの特殊トナー量が、前記カラートナー像における単位面積当たりのカラートナー量よりも少なくなるようにすることを特徴とするものである。
第１７態様においては、視認困難画像の読み取り精度を安定して確保することができる。
【０２００】
［第１８態様］
第１８態様は、イエロー、マゼンタ、シアンのうち少なくとも１つのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成装置において、前記カラートナー像のみで形成した黒色画像の画像濃度よりも、前記カラートナー像と前記特殊トナー像とで形成した黒色画像の画像濃度の方が低いことを特徴とするものである。
第１８態様においては、カラートナー及び特殊トナーを用いて黒色画像を形成する場合、特殊トナーを用いない同じ黒色画像を形成する場合よりも、単位面積当たりのカラートナー量が少ない。これにより、カラートナー及び特殊トナーの両方が付着するトナー像部分における単位面積当たりのトナー総量を少なく抑えることができ、定着不良を抑制しつつ１回の定着処理で画像形成を完了することが可能となる。よって、特殊トナー及びカラートナーを用いて画像形成する場合に要する時間を短くすることが可能である。
【０２０１】
［その他の態様］
その他の態様としては、イエロー、マゼンタ、シアンのうち少なくとも１つのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成方法において、前記カラートナー像及び前記特殊トナー像を作像する特殊画像形成動作の場合、前記特殊トナー像を作像せずに同じカラートナー像を作像する通常画像形成動作時よりも、前記記録媒体上の単位面積当たりのカラートナー量を少なくすることを特徴とするものである。
また、その他の態様としては、イエロー、マゼンタ、シアンのうち少なくとも１つのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成方法において、前記カラートナー像及び前記特殊トナー像を作像する特殊画像形成動作の場合、前記特殊トナー像を作像せずに同じカラートナー像を作像する通常画像形成動作時よりも、前記定着手段の定着能力が高まるように、若しくは、前記定着手段による定着処理時間が長くなるように、又は、その両方となるようにすることを特徴とするものである。
また、その他の態様としては、イエロー、マゼンタ、シアンのうち少なくとも１つのカラートナーからなるカラートナー像と特殊トナーからなる特殊トナー像とを同じ記録媒体上に作像し、該カラートナー像及び該特殊トナー像を定着手段により該記録媒体に定着させて画像を形成する画像形成方法において、前記カラートナー像のみで形成した黒色画像の画像濃度よりも、前記カラートナー像と前記特殊トナー像とで形成した黒色画像の画像濃度の方が低いことを特徴とするものである。
【符号の説明】
【０２０２】
１：画像形成部
２：転写部
３：記録媒体供給部
４：定着部
５：記録媒体排出部
６：プロセスユニット
７：感光体
８：帯電ローラ
９：現像装置
１１：露光装置
１２：中間転写ベルト
１３：一次転写ローラ
１４：二次転写ローラ
１８：給紙カセット
２１：定着装置
２２：定着ローラ
２３：加圧ローラ
２４：排紙ローラ
２５：排紙トレイ
２６：トナーカートリッジ
２７：廃トナー収容容器
３０：制御部
３１：主制御部
３２：記憶部
３３：分解処理部
３４：ガンマ変換部
３５：トナー総量規制部
３６：階調変換部
４０：画像形成制御部
１００：装置本体
１０１：カバー部材
１０２：容器保持部材
【先行技術文献】
【特許文献】
【０２０３】
【特許文献１】特開２０１６−１５８１６１号公報
【図１】
2019117371.tif 000011
【図２】
2019117371.tif 000012
【図３】
2019117371.tif 000013
【図４】
2019117371.tif 000014
【図５】
2019117371.tif 000015
【図６】
2019117371.tif 000016
【図７】
2019117371.tif 000017
【図８】
2019117371.tif 000018
【図９】
2019117371.tif 000019
【図１０】
2019117371.tif 000020
【図１１】
2019117371.tif 000021
【図１２】
2019117371.tif 000022